(57)【要約】【課題】診療記録用紙の記載内容を表す画像データを閲覧者の要望に応じて出力できるようにする。【解決手段】画像読取部１２によって、時系列に記載内容が更新される診療記録用紙の画像が読み取られる。これにより、複数の診療記録用紙画像データが生成される。差分画像生成部２０は、前回の読み取りにより生成された前回画像データと、新たな読み取りにより生成された今回画像データと、の差分を抽出することにより、差分画像データを生成する。その差分画像データには、診療記録用紙における差分の位置を示す情報、更新が行われた日時を示す情報等が属性情報として付帯される。表示処理部２６は、画像選択条件及び属性情報に基づいて、差分画像データを選択して出力する。【選択図】図１
2015176456.tif 000002
【特許請求の範囲】
【請求項１】
時系列に記載内容が更新される診療記録用紙の画像を読取り生成された診療記録用紙画像データ群を受け、前回の読取りで生成された前回診療記録用紙画像データと、新たな読取りで生成された今回診療記録用紙画像データと、の差分を抽出し、画像の読取りの度に差分を抽出し、前記診療記録用紙の更新記入部分を表す時系列の差分画像データ群を得る差分画像生成手段と、
記入に関する属性情報に対応付けて前記各差分画像データを記憶手段に記憶させる記憶処理手段と、
指定された画像選択条件及び前記属性情報に基づき、前記差分画像データ群から出力用画像データを選択して出力する出力処理手段と、
を有することを特徴とする画像処理装置。
【請求項２】
前記属性情報は、前記更新が行われた日時に関する時間情報を含み、
前記画像選択条件は、日時に関する条件を含む、
ことを特徴とする請求項１に記載の画像処理装置。
【請求項３】
前記出力処理手段は、前記診療記録用紙の記載内容を再現した状態で前記出力用画像データを表示する再現表示モード、又は、時系列に沿って前記出力用画像データを配列した状態で表示する配列表示モード、を実行する、
ことを特徴とする請求項１又は請求項２に記載の画像処理装置。
【請求項４】
前記属性情報は、前記診療記録用紙における差分部分の位置を示す差分部分位置情報を含み、
前記出力処理手段は、前記再現表示モードでは、前記差分部分位置情報に基づいて、前記診療記録用紙の記載内容を再現した状態で前記出力用画像データを表示する、
ことを特徴とする請求項３に記載の画像処理装置。
【請求項５】
前記診療記録用紙は時系列に沿って記載内容が追記又は削除される用紙であり、
前記差分画像生成手段は、前記診療記録用紙に対する新たな追記部分を表す追記差分画像データ、及び、前記診療記録用紙に対する新たな削除部分を表す削除差分画像データのうち少なくとも一方を、前記差分画像データとして生成する、
ことを特徴とする請求項１から請求項４のいずれか一項に記載の画像処理装置。
【請求項６】
前記診療記録用紙における各領域の文書種別を特定し、前記各診療記録用紙画像データから、個々の前記領域を表す領域画像データを抽出する領域抽出手段を更に有し、
前記差分画像生成手段は、前記領域ごとの前記文書種別に応じた差分の抽出を実行する、
ことを特徴とする請求項１から請求項５のいずれか一項に記載の画像処理装置。
【請求項７】
前記診療記録用紙は、前記文書種別として、診療記録が記入される診療記録部分、検査データが記入又は貼付される検査データ部分、及び、医用画像が貼付される医用画像部分を含み、
前記差分画像生成手段は、前記診療記録部分、前記検査データ部分及び前記医用画像部分のうちの前記診療記録部分についての前記差分画像データ群を生成する、
ことを特徴とする請求項６に記載の画像処理装置。
【請求項８】
前記記憶処理手段は、前記領域画像データに前記文書種別を示す文書種別情報を属性情報として対応付けて前記領域画像データを前記記憶手段に記憶させ、
前記画像選択条件は、前記文書種別に関する条件を含み、
前記出力処理手段は、前記画像選択条件及び前記属性情報に基づいて、前記差分画像データ群から前記出力用画像データを選択して出力するとともに、前記領域画像データを前記出力用画像データとして出力する、
ことを特徴とする請求項７に記載の画像処理装置。
【請求項９】
前記出力処理手段は、前記文書種別が異なる複数の前記出力用画像データにおいて、相互に対応する指定部分を他の部分と識別して表示する、
ことを特徴とする請求項８に記載の画像処理装置。
【請求項１０】
前記出力処理手段は、前記文書種別が同じ複数の前記出力用画像データを重ねて表示する、
ことを特徴とする請求項８に記載の画像処理装置。
【請求項１１】
前記出力処理手段は、前記文書種別がそれぞれ異なる複数の前記出力用画像データにおいて、一の前記出力用画像データが閲覧者の操作によってスクロールされたときに、他の前記出力用画像データを連動してスクロールして表示する、
ことを特徴とする請求項８に記載の画像処理装置。
【請求項１２】
前記出力処理手段は、前記出力用画像データにおいて優先度が相対的に低い箇所に、優先度が相対的に高い他の前記出力用画像データを重ねて表示する、
ことを特徴とする請求項８に記載の画像処理装置。
【請求項１３】
前記出力処理手段は、閲覧者の閲覧権限に応じて前記出力用画像データの出力を制限する、
ことを特徴とする請求項８に記載の画像処理装置。
【請求項１４】
前記出力処理手段は、閲覧者の職種に応じて前記出力用画像データの表示形態を変える、
ことを特徴とする請求項８に記載の画像処理装置。
【請求項１５】
コンピュータを、
時系列に記載内容が更新される診療記録用紙の画像を読取り生成された診療記録用紙画像データ群を受け、前回の読取りで生成された前回診療記録用紙画像データと、新たな読取りで生成された今回診療記録用紙画像データと、の差分を抽出し、画像の読取りの度に差分を抽出し、前記診療記録用紙の更新記入部分を表す時系列の差分画像データ群を得る差分画像生成手段と、
記入に関する属性情報に対応付けて前記各差分画像データを記憶手段に記憶させる記憶処理手段と、
指定された画像選択条件及び前記属性情報に基づき、前記差分画像データ群から出力用画像データを選択して出力する出力処理手段と、
として機能させるプログラム。
【発明の詳細な説明】
【技術分野】
【０００１】
本発明は、画像処理装置及びプログラムに関する。
【背景技術】
【０００２】
紙の文書を電子化して、パーソナルコンピュータ等によって閲覧するシステムがある。例えば、紙の文書をスキャナ等の読み取り装置によって読み取ることにより、電子的な画像データを生成する。このように紙の文書を電子化することにより、共有性、可搬性及び検索性に優れたシステムが構築され、ユーザの利便性が向上する。
【０００３】
なお、特許文献１に記載された装置では、第１画像及び第２画像からそれぞれ部分画像を抽出し、部分画像を、それぞれの画像内における当該部分画像の位置に基づいて順序付けを行う。そして、部分画像の順序に基づいて、対応する部分画像間の比較を行い、第１画像と第２画像との差異を抽出している。
【０００４】
特許文献２に記載された装置では、時系列に沿って連続して撮影された画像群の中から、指定された条件に合致する画像を抽出し、抽出された画像を合成して表示している。
【０００５】
特許文献３に記載された方法では、時系列に沿って同一箇所を撮影して得られた画像データと、画像データから抽出された複数の情報を画像又はグラフとして、同一画面上に表示している。
【０００６】
特許文献４に記載されたシステムでは、帳票の画像を読み取るごとに、今回読み取られたイメージデータと前回読み取られたイメージデータとの差分を抽出し、その差分データを、その差分の帳票上における座標と共に管理している。
【先行技術文献】
【特許文献】
【０００７】
【特許文献１】特開２００９−２５８８１５号公報
【特許文献２】特開２０１３−１１７９０８号公報
【特許文献３】特開平９−９８９６１号公報
【特許文献４】特開２００９−１８２８７０号公報
【発明の概要】
【発明が解決しようとする課題】
【０００８】
ところで、医療分野においては、距離の離れた施設間や関連業種内（例えば、病院、診療所、調剤薬局、訪問看護ステーション、介護福祉施設等）において情報を共有するために、電子カルテ等の電子データが用いられる場合がある。一方で、比較的小規模の病院や診療所では、電子カルテが採用されていないことがある。また、電子カルテが採用されている医療機関であっても、すべての情報が電子化されているわけではなく、診療に必要な重要な情報が紙の文書でやり取りされていることがある。さらに、紙のままのカルテ等を利用したいニーズもある。このように、紙の文書が用いられている場合、情報共有するためには、ＦＡＸやコピーで相手方に紙の文書を送る必要があり、手間がかかる。そのため、紙原本（例えば紙カルテ）を電子化し、電子化された画像データを共有サーバ等に格納することにより、情報共有を図ることがある。なお、紙カルテ以外の情報（例えば、検査記録用紙、看護記録用紙、介護メモ、処方箋等）についても、電子化して共有サーバ等に格納し、情報共有を図ることがある。
【０００９】
一方、紙カルテや看護記録用紙等の診療記録用紙は、追記して使用されるのが一般的である。つまり、診察や検査ごとに１枚の新しい診療記録用紙が使用されるものではなく、１枚の診療記録用紙に診察結果等が追記される。例えば、診療記録用紙に記入日を記入したり、追記した文章の末尾に日付印を押したりして、１枚の診療記録用紙を区分けして使用されるのが一般的である。このように、診療記録用紙は追記型文書に相当するといえる。
【００１０】
そして、追記が行われる度に診療記録用紙の画像を読み取る運用においては、追記が行われる度に新たな画像データが生成される。例えば、同じ診療記録用紙に対してＮ回の追記が行われた場合、Ｎ個の画像データが生成されることになる。Ｎ回目の画像データには、新たに追記されたＮ回目の追記部分のみならず、１〜（Ｎ−１）回目までの追記部分（過去の追記部分）も表されている。従って、過去の診療記録等を時系列に沿って閲覧するときに、１〜Ｎ回目の画像データを時系列順に並べて表示すると、２回目以降の画像データには、過去の追記部分が繰り返し出現することになる。そのため、閲覧者にとって、どの部分が新たに追記された部分（最新の記載部分）なのか分かり難いといった問題が生じ得る。
【００１１】
これに対して、記録（記載）単位で新たな診療記録用紙を使用することにより、上記の問題は解消される。しかしながら、一般的な運用では、診療記録用紙は追記して使用されるものであるため、そのような運用の変更は、紙を使った業務の運用方法を大幅に変えるものであり、医療関係者の負担増又は利便性の低下を招くおそれがある。また、追記量が少ない場合には、診療記録用紙の無駄が増大する。さらに、紙の枚数が増大するため、診療記録用紙の保管庫のコストが増大する問題も生じ得る。上記の問題は、診療記録用紙に対して追記が行われた場合のみならず、診療記録用紙の記載内容が削除された場合にも生じ得る。
【００１２】
本発明の目的は、診療記録用紙の記載内容を表す画像データを閲覧者の要望に応じて出力できるようにすることである。
【課題を解決するための手段】
【００１３】
請求項１に係る発明は、時系列に記載内容が更新される診療記録用紙の画像を読取り生成された診療記録用紙画像データ群を受け、前回の読取りで生成された前回診療記録用紙画像データと、新たな読取りで生成された今回診療記録用紙画像データと、の差分を抽出し、画像の読取りの度に差分を抽出し、前記診療記録用紙の更新記入部分を表す時系列の差分画像データ群を得る差分画像生成手段と、記入に関する属性情報に対応付けて前記各差分画像データを記憶手段に記憶させる記憶処理手段と、指定された画像選択条件及び前記属性情報に基づき、前記差分画像データ群から出力用画像データを選択して出力する出力処理手段と、を有することを特徴とする画像処理装置である。
【００１４】
請求項２に係る発明は、前記属性情報は、前記更新が行われた日時に関する時間情報を含み、前記画像選択条件は、日時に関する条件を含む、ことを特徴とする請求項１に記載の画像処理装置である。
【００１５】
請求項３に係る発明は、前記出力処理手段は、前記診療記録用紙の記載内容を再現した状態で前記出力用画像データを表示する再現表示モード、又は、時系列に沿って前記出力用画像データを配列した状態で表示する配列表示モード、を実行する、ことを特徴とする請求項１又は請求項２に記載の画像処理装置である。
【００１６】
請求項４に係る発明は、前記属性情報は、前記診療記録用紙における差分部分の位置を示す差分部分位置情報を含み、前記出力処理手段は、前記再現表示モードでは、前記差分部分位置情報に基づいて、前記診療記録用紙の記載内容を再現した状態で前記出力用画像データを表示する、ことを特徴とする請求項３に記載の画像処理装置である。
【００１７】
請求項５に係る発明は、前記診療記録用紙は時系列に沿って記載内容が追記又は削除される用紙であり、前記差分画像生成手段は、前記診療記録用紙に対する新たな追記部分を表す追記差分画像データ、及び、前記診療記録用紙に対する新たな削除部分を表す削除差分画像データのうち少なくとも一方を、前記差分画像データとして生成する、ことを特徴とする請求項１から請求項４のいずれか一項に記載の画像処理装置である。
【００１８】
請求項６に係る発明は、前記診療記録用紙における各領域の文書種別を特定し、前記各診療記録用紙画像データから、個々の前記領域を表す領域画像データを抽出する領域抽出手段を更に有し、前記差分画像生成手段は、前記領域ごとの前記文書種別に応じた差分の抽出を実行する、ことを特徴とする請求項１から請求項５のいずれか一項に記載の画像処理装置である。
【００１９】
請求項７に係る発明は、前記診療記録用紙は、前記文書種別として、診療記録が記入される診療記録部分、検査データが記入又は貼付される検査データ部分、及び、医用画像が貼付される医用画像部分を含み、前記差分画像生成手段は、前記診療記録部分、前記検査データ部分及び前記医用画像部分のうちの前記診療記録部分についての前記差分画像データ群を生成する、ことを特徴とする請求項６に記載の画像処理装置である。
【００２０】
請求項８に係る発明は、前記記憶処理手段は、前記領域画像データに前記文書種別を示す文書種別情報を属性情報として対応付けて前記領域画像データを前記記憶手段に記憶させ、前記画像選択条件は、前記文書種別に関する条件を含み、前記出力処理手段は、前記画像選択条件及び前記属性情報に基づいて、前記差分画像データ群から前記出力用画像データを選択して出力するとともに、前記領域画像データを前記出力用画像データとして出力する、ことを特徴とする請求項７に記載の画像処理装置である。
【００２１】
請求項９に係る発明は、前記出力処理手段は、前記文書種別が異なる複数の前記出力用画像データにおいて、相互に対応する指定部分を他の部分と識別して表示する、ことを特徴とする請求項８に記載の画像処理装置である。
【００２２】
請求項１０に係る発明は、前記出力処理手段は、前記文書種別が同じ複数の前記出力用画像データを重ねて表示する、ことを特徴とする請求項８に記載の画像処理装置である。
【００２３】
請求項１１に係る発明は、前記出力処理手段は、前記文書種別がそれぞれ異なる複数の前記出力用画像データにおいて、一の前記出力用画像データが閲覧者の操作によってスクロールされたときに、他の前記出力用画像データを連動してスクロールして表示する、ことを特徴とする請求項８に記載の画像処理装置である。
【００２４】
請求項１２に係る発明は、前記出力処理手段は、前記出力用画像データにおいて優先度が相対的に低い箇所に、優先度が相対的に高い他の前記出力用画像データを重ねて表示する、ことを特徴とする請求項８に記載の画像処理装置である。
【００２５】
請求項１３に係る発明は、前記出力処理手段は、閲覧者の閲覧権限に応じて前記出力用画像データの出力を制限する、ことを特徴とする請求項８に記載の画像処理装置である。
【００２６】
請求項１４に係る発明は、前記出力処理手段は、閲覧者の職種に応じて前記出力用画像データの表示形態を変える、ことを特徴とする請求項８に記載の画像処理装置である。
【００２７】
請求項１５に係る発明は、コンピュータを、時系列に記載内容が更新される診療記録用紙の画像を読取り生成された診療記録用紙画像データ群を受け、前回の読取りで生成された前回診療記録用紙画像データと、新たな読取りで生成された今回診療記録用紙画像データと、の差分を抽出し、画像の読取りの度に差分を抽出し、前記診療記録用紙の更新記入部分を表す時系列の差分画像データ群を得る差分画像生成手段と、記入に関する属性情報に対応付けて前記各差分画像データを記憶手段に記憶させる記憶処理手段と、指定された画像選択条件及び前記属性情報に基づき、前記差分画像データ群から出力用画像データを選択して出力する出力処理手段と、として機能させるプログラムである。
【発明の効果】
【００２８】
請求項１，１５に係る発明によると、診療記録用紙の記載内容を表す画像データを閲覧者の要望に応じて出力することが可能となる。
【００２９】
請求項２に係る発明によると、記載内容の記入日時を基準にして画像データの出力が可能となる。
【００３０】
請求項３に係る発明によると、閲覧者の要望に応じて、診療記録用紙を再現した状態の出力用画像データ、又は、時系列に沿って配列された状態の出力用画像データが、表示される。
【００３１】
請求項４に係る発明によると、診療記録用紙を再現した状態で出力用画像データを表示することが可能となる。
【００３２】
請求項５に係る発明によると、追記部分を表す追記差分画像データと削除部分を表す削除差分画像データとを区別して出力することが可能となる。
【００３３】
請求項６に係る発明によると、差分抽出の対象に適した文書種別について差分画像データが生成され得る。
【００３４】
請求項７に係る発明によると、差分抽出の対象に適する診療記録部分についての差分画像データが生成される。
【００３５】
請求項８に係る発明によると、閲覧者の要望に応じて、文書種別ごとの画像データが出力され得る。
【００３６】
請求項９に係る発明によると、複数の出力用画像データ間において対応関係の把握が容易となる。
【００３７】
請求項１０に係る発明によると、表示エリアが制限されている場合であっても、文書種別が同じ複数の出力用画像データが表示される。
【００３８】
請求項１１に係る発明によると、文書種別がそれぞれ異なる複数の出力用画像データ間の対応関係の把握が容易となる。
【００３９】
請求項１２に係る発明によると、表示エリアが制限されている場合であっても、優先度が相対的に高い画像データが優先的に表示される。
【００４０】
請求項１３に係る発明によると、画像データのセキュリティの低下が抑制される。
【００４１】
請求項１４に係る発明によると、職種に適した表示形態で画像データが表示される。
【図面の簡単な説明】
【００４２】
【図１】本発明の実施形態に係る画像処理装置の一例を示すブロック図である。
【図２】診療記録用紙画像データの運用を説明するための図である。
【図３】差分処理の例１を説明するための模式図である。
【図４】差分処理の例２を説明するための模式図である。
【図５】差分処理の例３を説明するための模式図である。
【図６】看護記録用紙の一例を示す模式図である。
【図７】画像データの管理テーブルを示す図である。
【図８】表示処理の例１を説明するための模式図である。
【図９】表示処理の例１を説明するための模式図である。
【図１０】表示処理の例２を説明するための模式図である。
【図１１】表示処理の例３を説明するための模式図である。
【図１２】表示処理の例４を説明するための模式図である。
【図１３】表示処理の例５を説明するための模式図である。
【図１４】表処処理の例６を説明するための模式図である。
【図１５】表示処理の例７を説明するための模式図である。
【図１６】表示処理の例８を説明するための模式図である。
【図１７】変形例に係るシステムの一例を示すブロック図である。
【発明を実施するための形態】
【００４３】
図１に、本発明の実施形態に係る画像処理装置の一例を示す。画像処理装置１０は、例えばネットワーク等の通信経路Ｎを介してサーバ５０に接続されている。画像処理装置１０は、以下に詳述するように、診療記録用紙の画像を読み取ることにより診療記録用紙画像データを生成し、その診療記録用紙画像データを通信経路Ｎを介してサーバ５０に送信する機能を備えている。また、通信経路Ｎには端末装置６０が接続されていてもよい。
【００４４】
診療記録用紙は、病院等の医療機関にて使用される用紙であり、例えば、紙カルテ、検査記録用紙、看護記録用紙、介護メモ、処方箋等である。
【００４５】
診療記録用紙には、診療記録用紙画像データを管理するための管理情報が予め印刷されていてもよい。この管理情報は、診療基本情報が符号化された符号化情報（コード情報）である。診療基本情報には、診療記録用紙の種類（紙カルテ、検査記録用紙、看護記録用紙等の種類）を示す用紙種類情報、診療記録用紙のページ番号、患者を示す患者ＩＤ、患者名を示す患者名情報、診療科を示す診療科情報、イベント発生日時を示すイベント発生日時情報等が含まれる。イベントとは、例えば、診療行為、診療記録用紙への記入等である。イベント発生日時情報には、診療行為が行われた日時を示す診療日時情報、及び、診療記録用紙に対して記入が行われた日時（記入日時）を示す記入日時情報が含まれる。本実施形態では、「記入」には、診療記録用紙に対する新たな記入、追記（追加の記入）、及び、診療記録用紙の記載内容の修正（一部又は全部の削除を含む）が含まれる。従って、記入日時には、診療記録用紙に対して新たな記入が行われた日時、追記が行われた日時、及び、修正が行われた日時が含まれる。符号化情報は、予め設定された符号化条件に従って診療基本情報を符号化（エンコード）することにより生成された情報である。符号化情報は、一例として、二次元バーコードの形式に符号化されて診療記録用紙に印刷されている。診療記録用紙の画像が読み取られて診療記録用紙画像データが生成されると、符号化情報が復号（デコード）されて診療基本情報（デコード情報）が生成される。そして、復号された診療基本情報に従って診療記録用紙画像データの管理が行われる。以下、画像処理装置１０の各部について説明する。
【００４６】
画像読取部１２は、スキャナやデジタルカメラ等の画像読取装置である。画像読取部１２は、用紙上の画像を読み取ることにより電子的な画像データを生成する。本実施形態では、時系列に沿って記載内容が変更される同じ診療記録用紙の画像が、画像読取部１２によって繰り返し読み取られる。これにより、当該診療記録用紙を表す複数の診療記録用紙画像データが生成される。例えば、診療記録用紙の記載内容が追記される度に、画像読取部１２によって診療記録用紙の画像が読み取られ、診療記録用紙画像データが生成される。複数の診療記録用紙画像データは画像記憶部１４に記憶される。
【００４７】
画像処理部１６は、復号処理部１８、差分画像生成部２０、領域抽出部２２、フォーム情報記憶部２４及び表示処理部２６を含む。
【００４８】
二次元バーコード等の符号化情報が診療記録用紙に印刷されている場合、復号処理部１８は、診療記録用紙画像データに表された符号化情報を、予め設定され復号条件に従って復号する。これにより診療基本情報が生成される。この場合、復号処理部１８は、復号された診療基本情報を属性情報として診療記録用紙画像データに付帯させ（関連付け）、診療基本情報が付帯された診療記録用紙画像データを画像記憶部１４に記憶させる。
【００４９】
なお、符号化情報が診療記録用紙に印刷されていない場合、作業者が操作部３４を使用して診療基本情報を入力すればよい。この場合、作業者によって入力された診療基本情報が属性情報として診療記録用紙画像データに付帯される。
【００５０】
差分画像生成部２０は、画像読取部１２によって新たな診療用紙画像データが生成されると、前回の読み取りにより生成された診療記録用紙画像データ（前回画像データ）と、新たな読み取りにより生成された診療記録用紙画像データ（今回画像データ）と、を画像記憶部１４から取得し、前回画像データと今回画像データとの差分を抽出する。これにより、差分画像データが生成される。例えば、差分画像生成部２０は、診療記録用紙に対する新たな追記部分を表す追記差分画像データを生成する。すなわち、差分画像生成部２０は、前回画像データには表されていない部分であって今回画像データには表されている部分（追記部分）を表す追記差分画像データを生成する。また、差分画像生成部２０は、診療記録用紙に対する新たな削除部分を表す削除差分画像データを生成してもよい。すなわち、差分画像生成部２０は、前回画像データには表されている部分であって今回画像データには表されていない部分（削除部分）を表す削除差分画像データを生成してもよい。
【００５１】
差分画像生成部２０は、診療記録用紙における差分部分（追記部分、削除部分）の位置を示す差分部分位置情報、及び、復号された診療基本情報を、属性情報として差分画像データに付帯させ（関連付け）、属性情報が付帯された差分画像データを画像記憶部１４に記憶させる。また、差分画像生成部２０は、画像読取の作業者を識別する作業者識別情報（作業者ＩＤ等）、及び、画像読取が行われた日時を示すスキャン日時情報を属性情報に含めて差分画像データに付帯させてもよい。なお、作業者識別情報及びスキャン日時情報は、作業者が操作部３４を使用して入力するようにすればよい。作業者が作業者識別情報を入力して画像処理装置１０にログインしている場合、差分画像生成部２０は、ログイン時に入力された作業者識別情報を属性情報として差分画像データに付帯させてもよい。また、差分画像生成部２０は、ログイン時の日時を示す情報をスキャン日時情報として差分画像データに付帯させてもよい。また、作業者が操作部３４を使用して、診療記録用紙に対する記入が行われた日時を示す記入日時情報を入力するようにしてもよい。この場合、差分画像生成部２０は、作業者によって入力された記入日時情報を属性情報に含めて差分画像データに付帯させる。
【００５２】
領域抽出部２２は、予め設定された用紙フォーム情報に基づいて、診療記録用紙画像データに表された診療記録用紙における各領域の文書種別を特定し、診療記録用紙画像データから個々の領域を表す領域画像データを抽出する。文書種別は、例えば、手書きで記入される診療記録（カルテの記載部分、看護記録の記載部分、処方箋等）、検査データ（血液検査データ等）、及び、医用画像（レントゲン写真やＣＴ画像等）等である。診療記録用紙は、一例として、診療記録が手書きで記入される診療記録欄（メモ欄）、検査データが記入又は貼り付けられる検査データ欄、及び、写真等の医用画像が貼り付けられる医用画像欄等を含む場合がある。用紙フォーム情報は、診療記録用紙における診療記録欄の位置、検査データ欄の位置、及び、医用画像欄の位置を示す位置情報である。領域抽出部２２は、その用紙フォーム情報に基づいて、診療記録用紙画像データにおける診療記録欄の位置、検査データ欄の位置、及び、医用画像欄の位置を特定し、診療記録用紙画像データを、診療記録欄の領域画像データ、検査データ欄の領域画像データ、及び、医用画像欄の領域画像データに分離し、診療記録画像データから各領域画像データを抽出する。領域抽出部２２は、領域画像データに、元の診療記録用紙画像データに付帯されていた属性情報を付帯させ、さらに、その領域画像データに対応する文書種別を示す文書種別情報、及び、診療記録用紙における領域の位置を示す領域位置情報を、属性情報として領域画像データに付帯させる。領域画像データは画像記憶部１４に記憶される。
【００５３】
領域抽出部２２によって領域画像データが抽出された場合、差分画像生成部２０は、各領域の文書種別に応じた差分処理を行う。例えば、差分画像生成部２０は、検査データ及び医用画像については、前回画像データと今回画像データとの間の差分を抽出せず、診療記録部分（カルテの記載内容、看護記録の記載内容、処方箋等）について差分を抽出する。つまり、差分画像生成部２０は、診療記録欄についての前回の領域画像データと今回の領域画像データとの差分を抽出する。これにより、診療記録欄についての差分を表す差分画像データが生成される。差分画像生成部２０は、その差分画像データに、診療記録用紙における差分の位置を示す差分位置情報、及び、領域画像データに付帯されていた属性情報を付帯させる。差分画像データは画像記憶部１４に記憶される。このように、本実施形態では、差分画像生成部２０は、診療記録用紙におけるテキスト部分（診療記録部分）について差分抽出を行う。
【００５４】
フォーム情報記憶部２４には、上記の用紙フォーム情報が予め記憶されている。例えば、用紙フォーム情報は、診療記録用紙の種類ごとに予め用意されている。具体的には、カルテ用の用紙フォーム情報、看護記録用紙用の用紙フォーム情報、検査記録用紙用の用紙フォーム情報等が、予め用意されてフォーム情報記憶部２４に記憶されている。例えば、診療記録用紙の種類を示す用紙種類情報が用紙フォーム情報に対応付けられている。領域抽出部２２は、診療記録用紙の種類に応じた用紙フォーム情報に基づいて、診療記録用紙画像データから個々の領域ごとの領域画像データを抽出する。なお、領域抽出部２２は、復号された診療基本情報に含まれる用紙種類情報に基づいて用紙フォーム情報を特定してもよい。または、作業者が操作部３４を使用して用紙種類情報を入力した場合、領域抽出部２２は、作業者によって入力された用紙種類情報に基づいて用紙フォーム情報を特定してもよい。
【００５５】
なお、領域抽出部２２及びフォーム情報記憶部２４を、画像処理装置１０に設置しなくてもよい。この場合、画像処理装置１０においては、領域画像データは生成されない。
【００５６】
表示処理部２６は、ユーザによって指定された画像選択条件に従って、画像記憶部１４から画像データ（出力用画像データに相当する）を取得し、取得した画像データに基づいて表示用の処理を実行する。例えば、ユーザによって診療記録用紙への記入日時が指定された場合、表示処理部２６は、その記入日時を示す記入日時情報が関連付けられた差分画像データを取得し、表示用の処理を実行する。表示処理部２６によって取得された差分画像データは、ディスプレイ等の表示部３２に出力されて表示される。
【００５７】
制御部２８は、画像処理装置１０の各部の動作を制御する。本実施形態では、制御部２８は、診療記録用紙画像データの登録モード、差分処理モード及び表示処理モードを実行する。差分画像データの登録モードの実行時、又は、表示処理モードの実行時に、画像処理部１６の各部の機能が実行される。
【００５８】
送受信部３０はネットワークインターフェースであり、通信経路Ｎを介してデータの送受信を行う。本実施形態では、送受信部３０は、診療記録用紙画像データ、差分画像データ及び領域画像データをサーバ５０に送信してもよい。これにより、サーバ５０において、診療記録用紙画像データ、差分画像データ及び領域画像データが予め設定された格納場所に格納される。
【００５９】
操作部３４はキーボードやタッチパネル等を有する。例えば、ユーザが操作部３４を使用することにより、診療基本情報、記入日時情報、作業者識別情報、スキャン日時情報、及び、用紙種類情報等の各種情報が入力される。
【００６０】
サーバ５０は、送受信部５２、制御部５４及び画像記憶部５６を含む。送受信部５２はネットワークインターフェースであり、通信経路Ｎを介して診療記録用紙画像データ、差分画像データ及び領域画像データを画像処理装置１０から受信する。制御部５４は、その診療記録用紙画像データ、差分画像データ及び領域画像データを画像記憶部５６に記憶させる。これにより、診療記録用紙画像データ、差分画像データ及び領域画像データがサーバ５０に格納される。本実施形態では、診療記録用紙画像データ、差分画像データ及び領域画像データは、それぞれの画像データに付帯されている属性情報に従って管理される。例えば、サーバ５０において、患者ＩＤに基づいて患者ごとにフォルダが作成され、当該フォルダに診療記録用紙画像データ、差分画像データ及び領域画像データが格納される。また、イベント発生日（診察日や記入日）ごとや診療科ごとにフォルダが作成されて、当該フォルダに診療記録用紙画像データ、差分画像データ及び領域画像データが格納されてもよい。
【００６１】
端末装置６０は、通信経路Ｎを介して、画像処理装置１０及びサーバ５０から診療記録用紙画像データ、差分画像データ及び領域画像データを取得して表示する機能を有する。
【００６２】
上述した画像処理装置１０は、一例としてハードウェア資源とソフトウェアとの協働により実現される。具体的には、画像処理装置１０は、図示しないＣＰＵ等のプロセッサを備えている。当該プロセッサが、図示しない記憶装置に記憶されたプログラムを読み出して実行することにより、画像処理部１６及び制御部２８の機能が実現される。上記プログラムは、ＣＤやＤＶＤ等の記憶媒体を経由して、又は、ネットワーク等の通信経路を経由して、記憶装置に記憶される。
【００６３】
次に、図２を参照して、診療記録用紙画像データの登録モード実行時の処理について説明する。ここでは、一例として、診療記録用紙画像データをサーバ５０に登録する処理について説明する。まず、医師によって診療が行われて紙カルテに診療内容が記入される（Ｓ０１）。また、看護師によって看護記録用紙に看護記録が記入されることもある（Ｓ０１）。そして、作業者が画像処理装置１０にログインし（Ｓ０２）、作業者の指示により、画像処理装置１０によって診療記録用紙（紙カルテや看護記録用紙等）の画像が読み取られる（Ｓ０３）。これにより、診療記録用紙画像データが生成される。この診療記録用紙画像データには、例えば、二次元バーコード等の符号化情報を復号することにより生成された診療基本情報が付帯される。または、作業者が画像処理装置１０に診療基本情報を入力すると、入力された診療基本情報が診療記録用紙画像データに付帯される。そして、診療記録用紙画像データは、画像処理装置１０からサーバ５０に送信され（Ｓ０４）、サーバ５０の画像記憶部５６に記憶される（Ｓ０５）。サーバ５０では、診療基本情報に従って、診療科ごと、患者ごと、及び、イベントごとにフォルダが作成され、そのフォルダに診療記録用紙画像データが格納される。一方、原本である診療記録用紙は、保管庫に保管される（Ｓ０６）。
【００６４】
次に、図３を参照して、差分処理モード実行時における処理（差分処理の例１）について説明する。まず、未記入状態の診療記録用紙（例えば未記入状態の紙カルテ）の画像が画像読取部１２によって読み取られると、未記入状態の診療記録用紙を表す診療記録用紙画像データ１００が生成される。この診療記録用紙画像データ１００には、復号処理部１８によって復号された診療基本情報、又は、作業者が操作部３４を使用して入力した診療基本情報が、付帯される。
【００６５】
そして、例えば１１月１日に同じ診療記録用紙に対して記入が行われ、記入後の診療記録用紙の画像が画像読取部１２によって読み取られると、記入後の診療記録用紙画像データ１０２が生成される。診療記録用紙画像データ１０２には、記入部分１０２ａが表されている。この診療記録用紙画像データ１０２にも診療基本情報が付帯される。差分画像生成部２０は、前回の読み取りにより生成された診療記録用紙画像データ１００（前回画像データ）と、今回の読み取りにより生成された診療記録用紙画像データ１０２（今回画像データ）と、の差分を抽出する。これにより、差分に相当する記入部分１０２ａを表す差分画像データ１１０が生成される。この差分画像データ１１０は追記差分画像データに相当する。例えば、差分画像生成部２０は、記入部分１０２ａを含む領域（例えば有意な差分画像に対する外接矩形を求めることによって特定した矩形状の領域）を表す差分画像データ１１０を生成する。差分画像データ１１０には、診療記録用紙における差分部分（記入部分１０２ａ）の位置を示す差分部分位置情報、記入部分１０２ａが記入された日時を示す記入日時情報、スキャン日時情報、及び、復号された診療基本情報等を含む属性情報が付帯される。
【００６６】
さらに、例えば１１月８日に同じ診療記録用紙に対して追記が行われ、追記後の診療記録用紙の画像が画像読取部１２によって読み取られると、追記後の診療記録用紙画像データ１０４が生成される。診療記録用紙画像データ１０４には、追記部分１０４ａが表されている。この診療記録用紙画像データ１０４にも診療基本情報が付帯される。差分画像生成部２０は、前回の読み取りにより生成された診療記録用紙画像データ１０２（前回画像データ）と、今回の読み取りにより生成された診療記録用紙画像データ１０４（今回画像データ）と、の差分を抽出する。これにより、差分に相当する追記部分１０４ａを表す差分画像データ１１２が生成される。この差分画像データ１１２は追記差分画像データに相当する。差分画像データ１１２には、診療記録用紙における差分部分（追記部分１０４ａ）の位置を示す差分部分位置情報、追記部分１０４ａが追記された日時を示す記入日時情報、スキャン日時情報、及び、復号された診療基本情報等を含む属性情報が付帯される。
【００６７】
なお、前回画像データは、未記入状態の診療記録用紙画像データ１００と差分画像データとに基づいて再構成されてもよい。この場合、再構成された前回画像データと今回画像データとの差分が抽出される。例えば、差分画像生成部２０は、未記入状態の診療記録用紙画像データ１００と差分画像データ１１０とに基づいて、診療記録用紙画像データ１０２（前回画像データ）を再構成し、診療記録用紙画像データ１０２（前回画像データ）と診療記録用紙画像データ（今回画像データ）との差分を抽出してもよい。
【００６８】
以上のようにして生成された差分画像データ１１０，１１２は、画像記憶部１４に記憶される。なお、診療記録用紙画像データ１００〜１０４も画像記憶部１４に記憶されてもよい。画像記憶部１４では、個々の画像データに付帯された属性情報に基づいて個々の画像データが管理される。また、差分画像データ１１０，１１２は、画像処理装置１０からサーバ５０に送信され、サーバ５０の画像記憶部５６に記憶されてもよい。サーバ５０では、個々の画像データに付帯された属性情報に基づいて個々の画像データが管理される。なお、診療記録用紙画像データ１００〜１０４も画像処理装置１０からサーバ５０に送信されて、サーバ５０に格納されてもよい。
【００６９】
上記の差分処理の例１によると、診療記録用紙に対して追記された部分を表す差分画像データが生成される。診療記録用紙に対しては、時系列に沿って（日付順に）追記が行われるため、本実施形態によると、時系列に沿った複数の差分画像データが生成される。そして、差分画像データを表示することにより、追記部分が表示されることになる。例えば、時系列順に並べて複数の差分画像データを表示することにより、複数の追記部分が時系列順に並べて表示されることになる。
【００７０】
次に、図４を参照して、差分処理モード実行時の処理（差分処理の例２）について説明する。図３に示す例１と同様に、未記入状態の診療記録用紙の画像が画像読取部１２によって読み取られ、未記入状態の診療記録用紙画像データ１００が生成される。
【００７１】
そして、例えば１１月１日に同じ診療記録用紙に対して記入が行われ、記入後の診療記録用紙の画像が画像読取部１２によって読み取られると、記入後の診療記録用紙画像データ１０２が生成される。差分画像生成部２０は、前回の読み取りにより生成された診療記録用紙画像データ１００（前回画像データ）と、今回の読み取りにより生成された診療記録用紙画像データ１０２（今回画像データ）と、の差分を抽出する。このとき、差分画像生成部２０は、差分に相当する記入部分１０２ａのみが表された１ページ分の差分画像データ１２０を生成する。この差分画像データ１２０は追記差分画像データに相当する。差分画像データ１２０には、診療記録用紙のページ番号、記入部分１０２ａが記入された日時を示す記入日時情報、スキャン日時情報、及び、復号された診療基本情報等を含む属性情報が付帯される。
【００７２】
さらに、例えば１１月８日に同じ診療記録用紙に対して追記が行われ、追記後の診療記録用紙の画像が画像読取部１２によって読み取られると、追記後の診療記録用紙画像データ１０４が生成される。差分画像生成部２０は、前回の読み取りにより生成された診療記録用紙画像データ１０２（前回画像データ）と、今回の読み取りにより生成された診療記録用紙画像データ１０４（今回画像データ）と、の差分を抽出する。このとき、差分画像生成部２０は、差分に相当する追記部分１０４ａのみが表された１ページ分の差分画像データ１２２を生成する。この差分画像データ１２２は追記差分画像データに相当する。差分画像データ１２２には、診療記録用紙のページ番号、追記部分１０４ａが追記された日時を示す記入日時情報、スキャン日時情報、及び、復号された診療基本情報等を含む属性情報が付帯される。
【００７３】
以上のようにして生成された差分画像データ１２０，１２２は、画像記憶部１４に記憶される。また、差分画像データ１２０，１２２は、画像処理装置１０からサーバ５０に送信され、サーバ５０の画像記憶部５６に記憶されてもよい。画像記憶部１４及びサーバ５０では、個々の画像データに付帯された属性情報に基づいて個々の画像データが管理される。なお、診療記録用紙画像データ１００〜１０４も、画像記憶部１４及びサーバ５０に記憶されてもよい。
【００７４】
上記の差分処理の例２によると、診療記録用紙に対して追記された部分を表す１ページ分の差分画像データが生成される。また、差分処理の例１と同様に、時系列に沿った複数の差分画像データが生成される。
【００７５】
次に、図５を参照して、差分処理モード実行時の処理（差分処理の例３）について説明する。ここでは、１１月１日に診療記録用紙に対して記入が行われ、その記入後の診療記録用紙画像データ１０６が生成されている。そして、１１月８日に診療記録用紙に対して追記及び修正が行われている。この修正により、一部の記載内容が書き換えられ、一部の記載内容が削除されている。すなわち、１１月８日には、追記とともに、記載内容の削除が一緒に行われている。そして、追記及び修正後の診療記録用紙の画像が画像読取部１２によって読み取られ、診療記録用紙画像データ１０８が生成されている。
【００７６】
差分画像生成部２０は、前回の読み取りにより生成された診療記録用紙画像データ１０６（前回画像データ）と、今回の読み取りにより生成された診療記録用紙画像データ１０８（今回画像データ）と、の差分を抽出する。これにより、前回画像データには表されていない部分であって今回画像データには表されている部分（追記部分）を表す追記差分画像データ１３０が生成される。また、前回画像データには表されている部分であって今回画像データには表されていない部分（削除部分）を表す削除差分画像データ１３２が生成される。追記差分画像データ１３０には、診療記録用紙における差分（追記部分）の位置を示す差分部分位置情報、追記が行われた日時を示す記入日時情報、スキャン日時情報、及び、復号された診療基本情報等を含む属性情報が付帯される。また、削除差分画像データ１３２には、診療記録用紙における差分（削除部分）の位置を示す差分部分位置情報、削除が行われた日時を示す記入日時情報、スキャン日時情報、及び、復号された診療基本情報等を含む属性情報が付帯される。なお、混在画像データ１３４は、追記差分画像データ１３０と削除差分画像データ１３２とが合成された画像データである。混在画像データ１３４には、追記部分と削除部分とが一緒に表されている。削除差分画像データ１３２を作成することにより、診療記録用紙から削除された部分を表す画像データが生成されるので、診療記録用紙に対する修正箇所が特定され、また、改ざん等を特定し得る。
【００７７】
以上のようにして生成された追記差分画像データ１３０及び削除差分画像データ１３２は、画像記憶部１４に記憶される。また、追記差分画像データ１３０及び削除差分画像データ１３２は、画像処理装置１０からサーバ５０に送信され、サーバ５０の画像記憶部５６に記憶されてもよい。画像記憶部１４及びサーバ５０では、個々の画像データに付帯された属性情報に基づいて個々の画像データが管理される。
【００７８】
上記の差分処理の例３によると、診療記録用紙に対して追記された部分を表す追記差分画像データ、及び、診療記録用紙から削除された部分を表す削除差分画像データが生成される。また、差分処理の例１と同様に、時系列に沿った追記差分画像データ及び削除差分画像データが生成される。そして、追記差分画像データを表示することにより、追記部分が表示され、削除差分画像データを表示することにより、削除部分が表示されることになる。
【００７９】
次に、図６を参照して、差分処理モード実行時の処理（差分処理の例４）について説明する。差分処理の例４では、領域抽出部２２による抽出処理が追加される。ここでは、診療記録用紙の一例として看護記録用紙を対象にした場合の処理について説明する。看護記録用紙以外の診療記録用紙（例えば紙カルテや検査記録用紙等）が対象の場合も、看護記録用紙に対する処理と同じ処理が施される。
【００８０】
例えば、看護記録用紙の画像が画像読取部１２によって読み取られると、診療記録用紙画像データ１４０が生成される。この看護記録用紙は、看護記録が記入される診療記録欄１４２、グラフ等の検査データが記入又は貼り付けられる検査データ欄１４４、グラフ以外の表等の検査データが記入又は貼り付けられる検査データ欄１４６、及び、写真等の医用画像が貼り付けられる医用画像欄１４８を含む。
【００８１】
領域抽出部２２は、看護記録用紙の用紙フォーム情報をフォーム情報記憶部２４から取得し、その用紙フォーム情報に従って、診療記録用紙画像データ１４０における診療記録欄１４２の位置、検査データ欄１４４，１４６の位置、及び、医用画像欄１４８の位置を特定する。そして、領域抽出部２２は、診療記録用紙画像データ１４０を、診療記録欄１４２の領域画像データ、検査データ欄１４４の領域画像データ、検査データ欄１４６の領域画像データ、及び、医用画像欄１４８の領域画像データに分離し、診療記録用紙画像データ１４０から個々の領域画像データを抽出する。各領域画像データには、診療記録用紙画像データ１４０に付帯されていた属性情報が付帯され、さらに、対応する文書種別を示す文書種別情報、及び、看護記録用紙における領域の位置を示す領域位置情報が、属性情報として付帯される。例えば、診療記録欄１４２の領域画像データには、診療記録用紙画像データ１４０に付帯されていた属性情報が付帯され、さらに、「診療記録」であることを示す文書種別情報、及び、看護記録用紙における「診療記録欄１４２」の位置を示す領域位置情報が、属性情報として付帯される。他の領域画像データについても同様に、属性情報が付帯される。
【００８２】
以上のようにして生成された各領域画像データは、画像記憶部１４に記憶される。また、各領域画像データは、画像処理装置１０からサーバ５０に送信され、サーバ５０の画像記憶部５６に記憶されてもよい。画像記憶部１４及びサーバ５０では、個々の画像データに付帯された属性情報に基づいて個々の画像データが管理される。
【００８３】
また、差分画像生成部２０は、各領域の文書種別に応じた差分処理を行う。例えば、差分画像生成部２０は、診療記録欄１４２についての前回の領域画像データと今回の領域画像データとの差分を抽出する。これにより、診療記録欄１４２についての差分を表す差分画像データが生成される。診療記録欄１４２についての差分画像データには、看護記録用紙における差分部分の位置を示す差分部分位置情報、及び、領域画像データに付帯されていた属性情報が付帯される。一方、差分画像生成部２０は、検査データ欄１４４，１４６及び医用画像欄１４８については差分処理を行わない。
【００８４】
診療記録欄１４２についての差分画像データは、画像記憶部１４に記憶される。また、その差分画像データは、画像処理装置１０からサーバ５０に送信され、サーバ５０の画像記憶部５６に記憶されてもよい。画像記憶部１４及びサーバ５０では、その差分画像データに付帯された属性情報に基づいて差分画像データが管理される。
【００８５】
診療記録欄１４２については、追記や記載内容の削除が行われるため、差分処理の対象に適している。従って、本実施形態では、診療記録欄１４２についての差分画像データを生成する。一方、医用画像については、追記が行われることがないので、差分処理の対象に適していない。従って、本実施形態では、医用画像欄１４８に対する差分処理を実行しない。また、検査データについては、グラフや表等で表現されることがあり、差分処理の対象に適していない場合がある。従って、本実施形態では、検査データ欄１４４，１４６に対する差分処理を実行しない。なお、検査データとしてのグラフや表が時系列に沿って追記される場合があるため、差分画像生成部２０は、検査データ欄１４４，１４６を対象にして差分処理を実行してもよい。
【００８６】
上記の差分処理の例４によると、文書種別ごとの領域画像データが生成される。そして、領域画像データを表示することにより、文書種別ごとの画像が表示されることになる。また、文書種別に応じた差分処理を行うことにより、差分処理に適した情報に対して差分処理が実行される。
【００８７】
図７に、差分画像データ及び領域画像データの管理テーブルを示す。この管理テーブルは、画像処理装置１０の画像記憶部１４に記憶されるテーブルである。また、差分画像データ及び領域画像データがサーバ５０に格納される場合、管理テーブルはサーバ５０の画像記憶部５６に記憶される。管理テーブルは、差分画像データ及び領域画像データに付帯されている属性情報に従って、画像処理装置１０又はサーバ５０にて作成される。「ＩＤ」は、個々の差分画像データ又は領域画像データに付与される識別情報である。「患者ＩＤ」は、個々の患者を識別するための情報である。「文書番号」は、診療記録用紙の種類を示す用紙種類情報の一例である。例えば番号「１０１」は紙カルテを示し、番号「１０２」は看護記録用紙を示し、番号「１０３」は検査記録用紙を示す。「ページ番号」は、差分画像データ又は領域画像データが抽出された診療記録用紙のページ番号である。また、「領域番号」は、診療記録用紙における各領域を示す情報であり、「文書種別」に対応付けられている。例えば、領域番号「１−１」が看護記録用紙における「熱型表」（文書種別：２）に対応し、領域番号「１−２」が看護記録用紙における「検査データ」に対応し、領域番号「１−３」が看護記録用紙における「看護記録」（文書種別：３）に対応する。なお、文書種別「１」はカルテを示している。また、座標は、差分部分位置情報又は領域位置情報が示す位置に対応する。例えば、差分画像データについては、画像の「左上座標」及び「右下座標」が、診療記録用紙における差分部分（矩形領域）の「左上座標」及び「右下座標」を示す。領域画像データについては、抽出される領域が矩形状の場合、画像の「左上座標」及び「右下座標」が、診療記録用紙における領域（矩形領域）の「左上座標」及び「右下座標」を示す。なお、領域の始点と領域の大きさとによって、領域の位置を特定してもよい。「記録者」は、診療記録用紙に対して記入を行った者を示す情報である。「イベント発生日時」は、診療行為や診療記録用紙への記入等のイベントが発生した日時を示す情報である。「スキャン作業者」は、画像の読み取りを行った作業者を示す作業者識別情報の一例である。「スキャン日時」は、画像の読み取りが行われた日時を示す情報である。
【００８８】
次に、表示処理モード実行時における処理について説明する。一例として、差分画像データ及び領域画像データが画像処理装置１０の画像記憶部１４に記憶されているものとする。なお、差分画像データ及び領域画像データがサーバ５０に格納されている実施例については後述する。
【００８９】
表示処理モード実行時では、表示処理部２６の機能が実行される。表示処理部２６は、複数の表示モードを実行する機能を有する。表示モードとしては、一例として、再現表示モード及び配列表示モードがある。再現表示モードでは、表示処理部２６は、元の診療記録用紙の記載内容を再現するように、画像データを並べて表示部３２に表示させる。配列表示モードでは、表示処理部２６は、画像データを予め設定された配列規則に従って配列した状態で表示部３２に表示させる。配列表示モードでは、例えば、表示処理部２６は、時系列に沿って画像データを並べて表示部３２に表示させる。
【００９０】
表示処理モード実行時では、ユーザが操作部３４を使用して画像選択条件を入力する。この画像選択条件は、例えば、患者ＩＤ、患者名、イベント発生日時（診療行為日時、診療記録用紙への記入日時）、スキャン日時等である。これら以外にも、属性情報に含まれる情報が画像選択条件として入力されてもよい。画像選択条件が入力されると、表示処理部２６は、その画像選択条件及び属性情報に基づいて、画像選択条件に合致する差分画像データ及び領域画像データを画像記憶部１４から取得し、取得した画像データを表示部３２に表示させる。また、ユーザが操作部３４を使用して表示モードを指定した場合、表示処理部２６は、ユーザによって指定された表示モードに従った表示処理を実行する。または、表示処理部２６は、予め設定された表示モードに従った表示処理を実行してもよい。
【００９１】
以下に、表示処理の具体例を示す。表示処理の例１〜例４では、差分画像データを表示する。表示処理の例５〜８では、差分画像データ及び領域画像データを表示する。
【００９２】
図８を参照して、表示処理の例１について説明する。一例として、ユーザによって、患者ＩＤ及び診療記録用紙への記入日時が、画像選択条件として入力されたものとする。また、表示モードとして再現表示モードが指定されたものとする。この場合、表示処理部２６は、入力された患者ＩＤ及び記入日時に対応する差分画像データを画像記憶部１４から取得する。一例として、画像選択条件として記入日時「１１月１日」及び「１１月８日」が指定されると、表示処理部２６は、１１月１日付の記入部分を表す差分画像データ１１０、及び、１１月８日付の追記部分を表す差分画像データ１１２を、画像記憶部１４から取得する。また、表示処理部２６は、未記入状態の診療記録用紙画像データ１００を画像記憶部１４から取得する。そして、表示処理部２６は、差分画像データ１１０，１１２のそれぞれの属性情報に含まれる差分部分位置情報に従って、診療記録用紙画像データ１００に差分画像データ１１０，１１２を重畳させて表示部３２に表示させる。つまり、表示処理部２６は、診療記録用紙画像データ１００において、記入部分１０２ａが記入されていた位置に差分画像データ１１０を配置し、追記部分１０４ａが追記されていた位置に差分画像データ１１２を配置する。これにより、再現表示モードでは、診療記録用紙画像データ１００及び差分画像データ１１０，１１２によって、図３に示す診療記録用紙画像データ１０４が再構成されることになる。なお、画像選択条件として、記入日時「１１月１５日」もユーザによって指定されると、表示処理部２６は、１１月１５日付の追記部分を表す差分画像データ１１４も、診療記録用紙画像データ１００に重畳させる。
【００９３】
また、特定の差分画像データを強調して表示してもよい。その例を図９に示す。図９に示す再現画像データ２００は、再現表示モード実行時において、差分画像データ１１０，１１２が未記入状態の診療記録用紙画像データに重畳されたデータである。例えば、表示処理部２６は、最新の差分画像データ１１２を過去の差分画像データ１１０よりも強調して表示する。具体的には、表示処理部２６は、過去の差分画像データ１１０を薄くして表示したり、最新の差分画像データ１１２を枠で囲って表示したり、最新の差分画像データ１１２の部分に色をつけたりしてもよい。また、ユーザが操作部３４を使用して特定の記入日時（例えば１１月８日）を指定すると、表示処理部２６は、１１月８日付の追記部分を表す差分画像データ１１２を、他の差分画像データ１１０よりも強調して表示してもよい。
【００９４】
また、特定の期間に対応する差分画像データを強調して表示してもよい。例えば、図９に示す再現画像データ２１０は、再現表示モード実行時において、１１月１日付、１１月８日付、１１月１５日付、及び、１１月２２日付の差分画像データが、未記入状態の診療記録用紙画像データに重畳されたデータである。ユーザが操作部３４を使用して強調表示の対象期間（例えば１１月８日〜１５日）を指定すると、表示処理部２６は、その対象期間に対応する差分画像データ１１２，１１４を強調して表示する。
【００９５】
また、診療記録用紙画像データを用いずに差分画像データを表示してもよい。例えば画像データ２２０のように、表示処理部２６は、ユーザによって指定された記入日時（例えば１１月８日）に対応する差分画像データ１１２を、画面上部に表示してもよい。この場合、診療記録用紙画像データは表示されない。
【００９６】
また、逆の時間順で差分画像データを表示してもよい。例えば再現画像データ２３０のように、表示処理部２６は、最新の差分画像データほど上部に表示する。この処理においては、表示処理部２６は、差分画像データに付帯されている差分部分位置情報を用いずに、記入日付情報に基づいて、各差分画像データを配置して表示する。例えば、ユーザが操作部３４を用いて「逆時間順の表示モード」を指定すると、表示処理部２６は、最新の差分画像データほど上部に表示する。再現画像データ２１０と比較すると、再現画像データ２１０は、元の診療記録用紙を再現した状態を表しているため、画像の上部から下部にかけて新しい追記部分が表されている。一方、再現画像データ２３０では、最新の追記部分が上部に表され、上部から下部にかけてより過去の追記部分が表されている。診療記録用紙のように追記型文書においては、用紙の上部から下部にかけて追記されるのが一般的である。このような状態を再現して閲覧したい場合には、ユーザは、操作部３４を使用して再現画像データ２１０の表示形態を指定すればよい。一方、最新の追記部分を優先的に閲覧したい場合には、ユーザは、操作部３４を使用して再現画像データ２３０の表示形態を指定すればよい。表示処理部２６は、ユーザによって指定された表示形態に従って差分画像データを表示する。なお、再現画像データ２３０においては、差分画像データ１１２，１１４の部分が強調表示されている。
【００９７】
次に、図１０を参照して、表示処理の例２について説明する。この表示処理の例２は、上述した差分処理の例２によって生成された差分画像データを利用する。図１０に示す差分画像データ１２０，１２２は、図４を参照して説明した差分処理の例２によって生成された差分画像データであり、差分に相当する部分のみが表された１ページ分の差分画像データである。ここでは、１１月１日付の差分画像データ１２０と、１１月８日付の差分画像データ１２２と、を表示する場合について説明する。表示処理部２６は、未記入状態の診療記録用紙画像データ１００に、差分画像データ１２０，１２２を重畳させる。このとき、表示処理部２６は、差分画像データ１２０，１２２の背景（記入部分以外の領域）を透過させた状態で、診療記録用紙画像データ１００に差分画像データ１２０，１２２を重畳させる。これにより、１ページ分の差分画像データを互いに重畳させた場合であっても、診療記録用紙の背景、記入部分及び追記部分が、差分画像データの背景によって覆われることなく表示される。また、表示処理の例２によると、差分部分位置情報は不要である。つまり、１ページ分の差分画像データを重ねているため、差分部分位置情報を用いずに、元の診療記録用紙の記載内容が再現される。
【００９８】
次に、図１１を参照して、表示処理の例３について説明する。図１１に示す例は、配列表示モード実行時の例である。この場合、表示処理部２６は、記入日時に従って、時系列順に、差分画像データ１１０，１１２，１１４を並べて表示する。配列方向はユーザが操作部３４を使用して指定するようにすればよい。例えば、表示処理部２６は、縦方向（上下方向）に差分画像データ１１０，１１２，１１４を並べて表示してもよいし、横方向（左右方向）に差分画像データ１１０，１１２，１１４を並べて表示してもよい。
【００９９】
次に、図１２を参照して、表示処理の例４について説明する。この表示処理の例４は、上述した差分処理の例３によって生成された差分画像データを利用する。図１２（ａ）に示す追記差分画像データ１３０及び削除差分画像データ１３２は、図５を参照して説明した差分処理の例３によって生成された画像データである。追記差分画像データ１３０及び削除差分画像データ１３２を重畳して表示すると、混在画像データ１３４のように、追記部分と削除部分とが混在した状態で表示される。この混在画像データ１３４は、追記部分と削除部分とが混在しているため、ユーザにとって、追記部分及び削除部分の把握が困難になるという問題が生じ得る。そこで、表示処理の例４では、図１２（ｂ）に示すように、表示処理部２６は、追記差分画像データ１３０のみを表示してもよいし、削除差分画像データ１３２の隣の領域（図では下部）に追記差分画像データ１３０を表示してもよい。すなわち、表示処理部２６は、削除差分画像データ１３２と追記差分画像データ１３０とを並べて表示する。これにより、追記部分と削除部分とが区別して表示されるので、追記部分及び削除部分の把握が容易となる。なお、表示処理部２６は、削除差分画像データ１３２のみを表示するようにしてもよい。
【０１００】
次に、図１３を参照して、表示処理の例５について説明する。表示処理の例５では、表示処理部２６は、差分画像データ及び領域画像データを表示する。例えば、表示処理の例１と同様に、ユーザによって患者ＩＤ及び記入日時が画像選択条件として入力されたものとする。この場合、表示処理部２６は、入力された患者ＩＤ及び記入日時に対応する差分画像データを画像記憶部１４から取得する。そして、表示処理部２６は、表示処理の例１と同様に、未記入状態の診療記録用紙画像データに差分画像データを重畳させて表示部３２に表示させる。図１３に示す再現画像データ３００は、未記入状態の診療記録用紙画像データに差分画像データが重畳された画像データであり、カルテの記入欄を表している。また、表示処理部２６は、入力された患者ＩＤに対応する領域画像データ３１０，３２０を画像記憶部１４から取得する。領域画像データ３１０は、看護記録のグラフ（検査データ）を表す画像データである。領域画像データ３２０は、検査結果（例えば単票の検査結果）を表す画像データである。領域画像データ３１０，３２０は、診療記録用紙画像データから領域抽出部２２によって抽出された画像データである。表示処理部２６は、再現画像データ３００及び領域画像データ３１０，３２０を表示部３２に並べて表示させる。このとき、表示処理部２６は、再現画像用の表示ウィンドウ内に再現画像データ３００を表示し、領域画像用の表示ウィンドウ内に領域画像データ３１０を表示してもよい。この場合、ユーザが操作部３４を使用して、表示ウィンドウ内の再現画像データ３００をスクロールさせた場合、表示処理部２６は、ユーザによるスクロール操作に応じて、領域画像データ３１０をスクロールさせてもよい。例えば、表示処理部２６は、再現画像用の表示ウィンドウの上部と領域画像用の表示ウィンドウの右部とを対応付けておき、再現画像用の表示ウィンドウの下部と領域画像の表示ウィンドウの左部とを対応付けておく。この場合、表示処理部２６は、再現画像データ３００において、上部から下部にかけて時系列に沿って差分画像データを配置し、下部に最新の差分画像データを配置する。これにより、表示処理部２６は、ユーザによるスクロール操作に応じて、再現画像データ３００と領域画像データ３１０とを連動してスクロールさせて表示する。また、表示処理部２６は、再現画像データ３００及び領域画像データ３１０のスケールを連動させて拡大表示又は縮小表示してもよい。また、ユーザが操作部３４を利用して特定の日付を指定した場合、表示処理部２６は、再現画像データ３００及び領域画像データ３１０において、ユーザによって指定された日付に対応する部分を強調表示してもよい。つまり、表示処理部２６は、再現画像データ３００及び領域画像データ３１０において、相互に対応する指定部分（指定された日付に対応する部分）を強調表示してもよい。例えば、日付として「１１月１５日」が指定されると、表示処理部２６は、再現画像データ３００において、その日付に対応する差分画像データの部分３０２を強調表示する。また、表示処理部２６は、領域画像データ３１０において、その日付に対応する部分３１２を強調表示する。例えば、領域画像データ３１２がグラフを表している場合、表示処理部２６は、そのグラフのスケールから、指定された日付に対応する部分３１２を推定し、その部分３１２を強調表示すればよい。また、複数の領域画像データ３２０が存在する場合、表示処理部２６は、複数の領域画像データ３２０を重ねて表示するとともに、指定された日付に対応する領域画像データ３２０を最上部に表示する。このように、文書種別が異なる複数の画像データを相互に連携して表示してもよい。
【０１０１】
次に、図１４を参照して、表示処理の例６について説明する。表示処理の例６では、表示処理部２６は、画像データにおいて優先度が相対的に低い箇所に、優先度が相対的に高い他の画像データを重ねて表示する。例えば、画像データにおいて優先度が相対的に高い箇所とは、画像データにおいて、閲覧者によって指定された日時（期間）に対応する部分である。それとは逆に、画像データにおいて優先度が相対的に低い箇所とは、画像データにおいて、閲覧者によって指定された日時（期間）に対応する部分以外の部分である。また、画像データの優先度は、文書種別によって予め決定されている。例えば、診療記録部分（カルテの記載部分、看護記録の記載部分、処方箋等）の優先度が最も高く（１番目の優先度）、検査結果の優先度が２番目に高く（２番目の優先度）、看護記録のグラフの優先度が３番目に高い（３番目の優先度）。
【０１０２】
例えば、表示処理部２６は、カルテの記載部分に相当する再現画像データ３００と、看護記録のグラフに相当する領域画像データ３１０と、を表示部３２に表示させる。そして、閲覧者が操作部３４を使用して特定の日付を指定すると、表示処理部２６は、再現画像データ３００において、指定された日付に対応する差分画像データの部分３０２を強調表示し、領域画像データ３１０において、その日付に対応する部分３１２を強調表示する。そして、表示処理部２６は、指定された日付に対応する検査結果に相当する領域画像データ３２０を画像記憶部１４から取得して、再現画像データ３００及び領域画像データ３１０に重畳して表示部３２に表示させる。このとき、表示処理部２６は、閲覧者によって指定された日時に対応する部分（部分３０２，３１２）を避けて、他の部分に、領域画像データ３２０を重畳する。
【０１０３】
以上のように、画像データにおいて優先度が相対的に低い箇所に、優先度が相対的に高い画像データを重畳することにより、表示エリアが狭い場合であっても、閲覧者にとって有益な画像データが優先的に表示される。例えば、タブレットＰＣ等を用いて画像データを表示する場合に、表示処理の例６は有効である。
【０１０４】
次に、図１５を参照して、表示処理の例７について説明する。表示処理の例７では、閲覧者の権限に応じて画像データの表示制限を行う。例えば、画像処理部１６又はサーバ５０において、診療記録用紙画像データ、差分画像データ及び領域画像データに、ユーザの閲覧権限情報を予め付帯させておく。この閲覧権限は、例えば、閲覧者の職種（医師、看護師、検査技師、介護士等）に応じて設定される。表示処理モードの実行時に、閲覧者が操作部３４を利用して閲覧権限情報を入力する。表示処理部２６は、その閲覧権限情報に基づいて、画像選択条件に合致する画像データの中から閲覧が許可された画像データを選択して表示部３２に表示させる。例えば図１５に示すように、カルテの記載内容に対する閲覧権限がない場合、表示処理部２６は、カルテの部分について代替画像３０４を表示する。同様に、検査結果に対する閲覧権限がない場合、表示処理部２６は、検査結果について代替画像３０６を表示する。
【０１０５】
また、表示処理部２６は、患者の担当か否かによって、画像データの表示を制限してもよい。例えば、属性情報に担当者（例えば担当医師や担当看護師）を示すＩＤ（例えば医師ＩＤや看護師ＩＤ）を予め含めておき、診療記録用紙画像データ、差分画像データ及び領域画像データに付帯させておく。そして、表示処理部２６は、操作部３４を介して閲覧者によって入力されたＩＤ、及び、画像選択条件に合致する画像データの属性情報に含まれるＩＤに基づいて、当該閲覧者が患者の担当者か否かを判定する。閲覧者が患者の担当者であれば、表示処理部２６は、画像選択条件に合致する画像データを表示部３２に表示させる。一方、閲覧者が患者の担当者ではない場合、表示処理部２６は、画像データの表示を制限する。なお、患者を示す患者ＩＤと、当該患者の担当者（例えば担当医師や担当看護師）を示すＩＤ（例えば医師ＩＤや看護師ＩＤ）と、が対応付けられた担当者管理テーブルを予め作成しておき、その担当者管理テーブルに基づいて、閲覧者が患者の担当者か否かを判定してもよい。
【０１０６】
表示処理の例７によると、閲覧者の職種に応じて画像データの表示が制限されるので、職務上必須ではない画像データの表示が制限される。これにより、個人情報の流出が抑制又は防止される。同様に、担当していない患者に関する画像データの表示が制限されるので、職務上必須ではない画像データの表示が制限される。
【０１０７】
次に、図１６を参照して、表示処理の例８について説明する。表示処理の例８では、表示処理部２６は、閲覧者の職種（閲覧権限）に応じて、画像データの表示形態を変える。例えば、閲覧者が医師であれば、カルテ等の診療録を最優先（１番目の優先度）とし、検査結果を２番目の優先度とし、看護記録を３番目の優先度とする。また、閲覧者が看護師であれば、看護記録を最優先（１番目の優先度）とし、診療録及び検査結果を２番目の優先度とする。例えば、画像処理部１６又はサーバ５０において、診療記録用紙画像データ、差分画像データ及び領域画像データに、閲覧者の職種（閲覧権限情報）ごとの優先度を示す優先度情報を予め付帯させておく。表示モードの実行時に、閲覧者が操作部３４を使用して閲覧権限情報を入力する。表示処理部２６は、その閲覧権限情報に対応する優先度に応じた表示形態で、画像データを表示する。
【０１０８】
例えば、閲覧者が医師の場合、表示処理部２６は、医師用の画像データ４００を表示部３２に表示させる。表示処理部２６は、カルテ等の診療録（１番目の優先度の情報）を表す再現画像データ４０２を拡大して画像データ４００の上部に表示する。また、表示処理部２６は、検査結果（２番目の優先度の情報）を表す領域画像データ４０６を拡大して表示する。表示スペースが足りない場合、表示処理部２６は、看護記録（３番目の優先度の情報）を表す領域画像データ４０４の上に、優先度が２番目の領域画像データ４０６を重ねて表示してもよい。
【０１０９】
一方、閲覧者が看護師の場合、表示処理部２６は、看護師用の画像データ５００を表示部３２に表示させる。表示処理部２６は、看護記録（１番目の優先度の情報）を表す領域画像データ４０４を拡大して画像データ５００の上部に表示する。また、表示処理部２６は、診療録を表す再現画像データ４０２及び検査結果を表す領域画像データ４０６を縮小して画像データ５００の下部に表示する。
【０１１０】
表示処理の例８によると、閲覧者の職務に応じた表示形態で画像データが表示される。これにより、閲覧者の業務効率が向上する。
【０１１１】
以上のように、本実施形態によると、時系列に沿った差分画像データや、文書種別ごとの領域画像データを生成しておくことにより、紙文書を用いた業務の運用方法を大幅に変えることなく、閲覧者の要望に応じた表示形態で画像データが表示される。
【０１１２】
次に、図１７を参照して、変形例に係るシステムについて説明する。変形例に係るシステムは、画像処理装置１０Ａ及びサーバ５０Ａを含む。変形例では、差分処理及び領域抽出処理が画像処理装置１０Ａで実行され、表示処理がサーバ５０Ａで実行される。具体的には、画像処理装置１０Ａに表示処理部２６が設けられておらず、サーバ５０Ａに表示処理部２６が設けられている。そして、診療記録用紙画像データ、差分画像データ及び領域画像データは、画像処理部１６Ａにて生成されてサーバ５０Ａに送信され、サーバ５０Ａの画像記憶部５６に記憶される。サーバ５０Ａは、端末装置６０からの要求に応じて、その要求に対応する画像データを端末装置６０に送信する。これにより、端末装置６０において画像データが表示される。
【０１１３】
表示処理部２６は、上述した実施形態と同じ処理（表示処理の例１〜８）を実行する。これにより、表示処理の例１〜８によって生成された画像データがサーバ５０Ａから端末装置６０に送信され、端末装置６０にて表示される。
【０１１４】
例えば、閲覧者は端末装置６０を利用してサーバ５０Ａにアクセスする。そして、閲覧者は端末装置６０を利用して、閲覧対象の患者ＩＤや記入日（追記日）等の画像選択条件を入力し、表示モードを指定する。その画像選択条件及び表示モードを示す情報は、端末装置６０からサーバ５０Ａに送信される。サーバ５０Ａの表示処理部２６は、その画像選択条件及び表示モードに従って、表示用画像データを生成する。その表示用画像データは、サーバ５０Ａから端末装置６０に送信され、端末装置６０において表示される。
【０１１５】
例えば、図９に示す表示処理の例１では、サーバ５０Ａにて、再現画像データ２００、再現画像データ２１０、画像データ２２０、又は、再現画像データ２３０が生成される。それらの画像データは、サーバ５０Ａから端末装置６０に送信され、端末装置６０において表示される。
【０１１６】
図１０に示す表示処理の例２では、サーバ５０Ａにて、未記入状態の診療記録用紙画像データ１００に差分画像データ１２０，１２２が重畳された表示用画像データが生成される。この表示用画像データはサーバ５０Ａから端末装置６０に送信され、端末装置６０において表示される。
【０１１７】
図１１に示す表示処理の例３では、差分画像データ１１０，１１２，１１４がサーバ５０Ａから端末装置６０に送信される。そして、端末装置６０にて、差分画像データ１１０，１１２，１１４が、時系列順に配列されて表示される。
【０１１８】
図１２に示す表示処理の例４では、追記差分画像データ１３０と削除差分画像データ１３２とが、サーバ５０Ａから端末装置６０に送信される。そして、端末装置６０にて、図１２（ｂ）に示すように、追記差分画像データ１３０と削除差分画像データ１３２とが並べて表示される。
【０１１９】
図１３及び図１４に示す表示処理の例５，６では、再現画像データ３００及び領域画像データ３１０，３２０が、サーバ５０Ａから端末装置６０に送信される。そして、端末装置６０にて、再現画像データ３００及び領域画像データ３１０，３２０が表示される。端末装置６０では、例えば図１３に示すように、再現画像データ３００及び領域画像データ３１０，３２０が並べて表示され、閲覧者によって指定された日付に対応する部分が強調表示される。また、端末装置６０では、例えば図１４に示すように、再現画像データ３００及び領域画像データ３１０，３２０が重畳されて表示される。このとき、上述した表示処理の例６と同様に、優先度に応じた表示処理が行われる。端末装置６０が例えばタブレットＰＣであり、端末装置６０の表示エリアが制限されている場合には、表示処理の例６は特に有効である。
【０１２０】
図１５に示す表示処理の例７では、端末装置６０において、閲覧が許可された画像データが表示される。また、図１６に示す表示処理の例８では、端末装置６０において、閲覧者の職種に応じた表示形態で画像データが表示される。
【０１２１】
以上のように、診療記録用紙画像データ、差分画像データ及び領域画像データをサーバ５０Ａに格納しておくことにより、それらの画像データが共有され得る状態となる。これにより、紙文書を用いた業務の運用方法を大幅に変えることなく、端末装置６０において、閲覧者の要望に応じた表示形態で画像データが表示される。
【符号の説明】
【０１２２】
１０，１０Ａ  画像処理装置、１２  画像読取部、１４，５６  画像記憶部、１６，１６Ａ  画像処理部、１８  復号処理部、２０  差分画像生成部、２２  領域抽出部、２４  フォーム情報記憶部、２６  表示処理部、２８，５４  制御部、３０，５２  送受信部、３２  表示部、３４  操作部、５０，５０Ａ  サーバ、６０  端末装置。
【図１】
2015176456.tif 000003
【図２】
2015176456.tif 000004
【図７】
2015176456.tif 000005
【図１７】
2015176456.tif 000006
【図３】
2015176456.tif 000007
【図４】
2015176456.tif 000008
【図５】
2015176456.tif 000009
【図６】
2015176456.tif 000010
【図８】
2015176456.tif 000011
【図９】
2015176456.tif 000012
【図１０】
2015176456.tif 000013
【図１１】
2015176456.tif 000014
【図１２】
2015176456.tif 000015
【図１３】
2015176456.tif 000016
【図１４】
2015176456.tif 000017
【図１５】
2015176456.tif 000018
【図１６】
2015176456.tif 000019
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
記録用紙の画像を読取り生成された画像データの差分を抽出し、更新が行われた部分を表す差分画像データ群を得る差分画像生成手段と、
記入に関する属性情報に対応付けて前記各差分画像データを記憶手段に記憶させる記憶処理手段と、
指定された画像選択条件及び前記属性情報に基づき、前記差分画像データ群から出力用画像データを選択して出力する出力処理手段と、
を有することを特徴とする画像処理装置。
【請求項２】
前記記入は、前記記録用紙に対する新たな記入、追加の記入、記載内容の修正、及び、一部又は全部の削除、からなる群から選択される１つを含む、
ことを特徴とする請求項１に記載の画像処理装置。
【請求項３】
前記属性情報は、前記更新が行われた日時に関する時間情報を含み、
前記画像選択条件は、日時に関する条件を含む、
ことを特徴とする請求項１又は請求項２に記載の画像処理装置。
【請求項４】
前記出力処理手段は、前記記録用紙の記載内容を再現した状態で前記出力用画像データを表示する再現表示モード、又は、時系列に沿って前記出力用画像データを配列した状態で表示する配列表示モード、を実行する、
ことを特徴とする請求項１から請求項３のいずれか一項に記載の画像処理装置。
【請求項５】
前記属性情報は、前記記録用紙における差分部分の位置を示す差分部分位置情報を含み、
前記出力処理手段は、前記再現表示モードでは、前記差分部分位置情報に基づいて、前記記録用紙の記載内容を再現した状態で前記出力用画像データを表示する、
ことを特徴とする請求項４に記載の画像処理装置。
【請求項６】
前記記録用紙は時系列に沿って記載内容が追記又は削除される用紙であり、
前記差分画像生成手段は、前記記録用紙に対する新たな追記部分を表す追記差分画像データ、及び、前記記録用紙に対する新たな削除部分を表す削除差分画像データのうち少なくとも一方を、前記差分画像データとして生成する、
ことを特徴とする請求項１から請求項５のいずれか一項に記載の画像処理装置。
【請求項７】
前記記録用紙における各領域の文書種別を特定し、前記各記録用紙画像データから、個々の前記領域を表す領域画像データを抽出する領域抽出手段を更に有し、
前記差分画像生成手段は、前記領域ごとの前記文書種別に応じた差分の抽出を実行する、
ことを特徴とする請求項１から請求項６のいずれか一項に記載の画像処理装置。
【請求項８】
前記記録用紙は、前記文書種別として、診療記録が記入される診療記録部分、検査データが記入又は貼付される検査データ部分、及び、医用画像が貼付される医用画像部分を含み、
前記差分画像生成手段は、前記診療記録部分、前記検査データ部分及び前記医用画像部分のうちの前記診療記録部分についての前記差分画像データ群を生成する、
ことを特徴とする請求項７に記載の画像処理装置。
【請求項９】
前記記憶処理手段は、前記領域画像データに前記文書種別を示す文書種別情報を属性情報として対応付けて前記領域画像データを前記記憶手段に記憶させ、
前記画像選択条件は、前記文書種別に関する条件を含み、
前記出力処理手段は、前記画像選択条件及び前記属性情報に基づいて、前記差分画像データ群から前記出力用画像データを選択して出力するとともに、前記領域画像データを前記出力用画像データとして出力する、
ことを特徴とする請求項８に記載の画像処理装置。
【請求項１０】
前記出力処理手段は、前記文書種別が異なる複数の前記出力用画像データにおいて、相互に対応する指定部分を他の部分と識別して表示する、
ことを特徴とする請求項９に記載の画像処理装置。
【請求項１１】
前記出力処理手段は、前記文書種別が同じ複数の前記出力用画像データを重ねて表示する、
ことを特徴とする請求項９に記載の画像処理装置。
【請求項１２】
前記出力処理手段は、前記文書種別がそれぞれ異なる複数の前記出力用画像データにおいて、一の前記出力用画像データが閲覧者の操作によってスクロールされたときに、他の前記出力用画像データを連動してスクロールして表示する、
ことを特徴とする請求項９に記載の画像処理装置。
【請求項１３】
前記出力処理手段は、前記出力用画像データにおいて優先度が相対的に低い箇所に、優先度が相対的に高い他の前記出力用画像データを重ねて表示する、
ことを特徴とする請求項９に記載の画像処理装置。
【請求項１４】
前記出力処理手段は、閲覧者の閲覧権限に応じて前記出力用画像データの出力を制限する、
ことを特徴とする請求項９に記載の画像処理装置。
【請求項１５】
前記出力処理手段は、閲覧者の職種に応じて前記出力用画像データの表示形態を変える、
ことを特徴とする請求項９に記載の画像処理装置。
【請求項１６】
コンピュータを、
記録用紙の画像を読取り生成された画像データの差分を抽出し、更新が行われた部分を表す差分画像データ群を得る差分画像生成手段と、
記入に関する属性情報を含む前記各差分画像データを記憶手段に記憶させる記憶処理手段と、
指定された画像選択条件及び前記属性情報に基づき、前記差分画像データ群から出力用画像データを選択して出力する出力処理手段と、
として機能させるプログラム。
【請求項１７】
記録用紙の画像を読取り生成された画像データの差分を抽出し、更新が行われた部分を表す差分画像データ群を得る差分画像生成手段と、
記入に関する属性情報に対応付けて前記各差分画像データを記憶手段に記憶させる記憶処理手段と、
指定された画像選択条件及び前記属性情報に基づき、前記差分画像データ群から出力用画像データを選択して出力する出力処理手段と、
を有することを特徴とする画像処理システム。
【手続補正２】
【補正対象書類名】明細書
【補正対象項目名】００１２
【補正方法】変更
【補正の内容】
【００１２】
本発明の目的は、記録用紙の記載内容を表す画像データを閲覧者の要望に応じて出力できるようにすることである。
【手続補正３】
【補正対象書類名】明細書
【補正対象項目名】００１３
【補正方法】変更
【補正の内容】
【００１３】
請求項１に係る発明は、記録用紙の画像を読取り生成された画像データの差分を抽出し、更新が行われた部分を表す差分画像データ群を得る差分画像生成手段と、記入に関する属性情報を含む前記各差分画像データを記憶手段に記憶させる記憶処理手段と、指定された画像選択条件及び前記属性情報に基づき、前記差分画像データ群から出力用画像データを選択して出力する出力処理手段と、を有することを特徴とする画像処理装置である。
請求項２に係る発明は、前記記入は、前記記録用紙に対する新たな記入、追加の記入、記載内容の修正、及び、一部又は全部の削除、からなる群から選択される１つを含む、ことを特徴とする請求項１に記載の画像処理装置である。
【手続補正４】
【補正対象書類名】明細書
【補正対象項目名】００１４
【補正方法】変更
【補正の内容】
【００１４】
請求項３に係る発明は、前記属性情報は、前記更新が行われた日時に関する時間情報を含み、前記画像選択条件は、日時に関する条件を含む、ことを特徴とする請求項１又は請求項２に記載の画像処理装置である。
【手続補正５】
【補正対象書類名】明細書
【補正対象項目名】００１５
【補正方法】変更
【補正の内容】
【００１５】
請求項４に係る発明は、前記出力処理手段は、前記記録用紙の記載内容を再現した状態で前記出力用画像データを表示する再現表示モード、又は、時系列に沿って前記出力用画像データを配列した状態で表示する配列表示モード、を実行する、ことを特徴とする請求項１から請求項３のいずれか一項に記載の画像処理装置である。
【手続補正６】
【補正対象書類名】明細書
【補正対象項目名】００１６
【補正方法】変更
【補正の内容】
【００１６】
請求項５に係る発明は、前記属性情報は、前記記録用紙における差分部分の位置を示す差分部分位置情報を含み、前記出力処理手段は、前記再現表示モードでは、前記差分部分位置情報に基づいて、前記記録用紙の記載内容を再現した状態で前記出力用画像データを表示する、ことを特徴とする請求項４に記載の画像処理装置である。
【手続補正７】
【補正対象書類名】明細書
【補正対象項目名】００１７
【補正方法】変更
【補正の内容】
【００１７】
請求項６に係る発明は、前記記録用紙は時系列に沿って記載内容が追記又は削除される用紙であり、前記差分画像生成手段は、前記記録用紙に対する新たな追記部分を表す追記差分画像データ、及び、前記記録用紙に対する新たな削除部分を表す削除差分画像データのうち少なくとも一方を、前記差分画像データとして生成する、ことを特徴とする請求項１から請求項５のいずれか一項に記載の画像処理装置である。
【手続補正８】
【補正対象書類名】明細書
【補正対象項目名】００１８
【補正方法】変更
【補正の内容】
【００１８】
請求項７に係る発明は、前記記録用紙における各領域の文書種別を特定し、前記各記録用紙画像データから、個々の前記領域を表す領域画像データを抽出する領域抽出手段を更に有し、前記差分画像生成手段は、前記領域ごとの前記文書種別に応じた差分の抽出を実行する、ことを特徴とする請求項１から請求項６のいずれか一項に記載の画像処理装置である。
【手続補正９】
【補正対象書類名】明細書
【補正対象項目名】００１９
【補正方法】変更
【補正の内容】
【００１９】
請求項８に係る発明は、前記記録用紙は、前記文書種別として、診療記録が記入される診療記録部分、検査データが記入又は貼付される検査データ部分、及び、医用画像が貼付される医用画像部分を含み、前記差分画像生成手段は、前記診療記録部分、前記検査データ部分及び前記医用画像部分のうちの前記診療記録部分についての前記差分画像データ群を生成する、ことを特徴とする請求項７に記載の画像処理装置である。
【手続補正１０】
【補正対象書類名】明細書
【補正対象項目名】００２０
【補正方法】変更
【補正の内容】
【００２０】
請求項９に係る発明は、前記記憶処理手段は、前記領域画像データに前記文書種別を示す文書種別情報を属性情報として対応付けて前記領域画像データを前記記憶手段に記憶させ、前記画像選択条件は、前記文書種別に関する条件を含み、前記出力処理手段は、前記画像選択条件及び前記属性情報に基づいて、前記差分画像データ群から前記出力用画像データを選択して出力するとともに、前記領域画像データを前記出力用画像データとして出力する、ことを特徴とする請求項８に記載の画像処理装置である。
【手続補正１１】
【補正対象書類名】明細書
【補正対象項目名】００２１
【補正方法】変更
【補正の内容】
【００２１】
請求項１０に係る発明は、前記出力処理手段は、前記文書種別が異なる複数の前記出力用画像データにおいて、相互に対応する指定部分を他の部分と識別して表示する、ことを特徴とする請求項９に記載の画像処理装置である。
【手続補正１２】
【補正対象書類名】明細書
【補正対象項目名】００２２
【補正方法】変更
【補正の内容】
【００２２】
請求項１１に係る発明は、前記出力処理手段は、前記文書種別が同じ複数の前記出力用画像データを重ねて表示する、ことを特徴とする請求項９に記載の画像処理装置である。
【手続補正１３】
【補正対象書類名】明細書
【補正対象項目名】００２３
【補正方法】変更
【補正の内容】
【００２３】
請求項１２に係る発明は、前記出力処理手段は、前記文書種別がそれぞれ異なる複数の前記出力用画像データにおいて、一の前記出力用画像データが閲覧者の操作によってスクロールされたときに、他の前記出力用画像データを連動してスクロールして表示する、ことを特徴とする請求項９に記載の画像処理装置である。
【手続補正１４】
【補正対象書類名】明細書
【補正対象項目名】００２４
【補正方法】変更
【補正の内容】
【００２４】
請求項１３に係る発明は、前記出力処理手段は、前記出力用画像データにおいて優先度が相対的に低い箇所に、優先度が相対的に高い他の前記出力用画像データを重ねて表示する、ことを特徴とする請求項９に記載の画像処理装置である。
【手続補正１５】
【補正対象書類名】明細書
【補正対象項目名】００２５
【補正方法】変更
【補正の内容】
【００２５】
請求項１４に係る発明は、前記出力処理手段は、閲覧者の閲覧権限に応じて前記出力用画像データの出力を制限する、ことを特徴とする請求項９に記載の画像処理装置である。
【手続補正１６】
【補正対象書類名】明細書
【補正対象項目名】００２６
【補正方法】変更
【補正の内容】
【００２６】
請求項１５に係る発明は、前記出力処理手段は、閲覧者の職種に応じて前記出力用画像データの表示形態を変える、ことを特徴とする請求項９に記載の画像処理装置である。
【手続補正１７】
【補正対象書類名】明細書
【補正対象項目名】００２７
【補正方法】変更
【補正の内容】
【００２７】
請求項１６に係る発明は、コンピュータを、記録用紙の画像を読取り生成された画像データの差分を抽出し、更新が行われた部分を表す差分画像データ群を得る差分画像生成手段と、記入に関する属性情報に対応付けて前記各差分画像データを記憶手段に記憶させる記憶処理手段と、指定された画像選択条件及び前記属性情報に基づき、前記差分画像データ群から出力用画像データを選択して出力する出力処理手段と、として機能させるプログラムである。
請求項１７に係る発明は、記録用紙の画像を読取り生成された画像データの差分を抽出し、更新が行われた部分を表す差分画像データ群を得る差分画像生成手段と、記入に関する属性情報に対応付けて前記各差分画像データを記憶手段に記憶させる記憶処理手段と、指定された画像選択条件及び前記属性情報に基づき、前記差分画像データ群から出力用画像データを選択して出力する出力処理手段と、を有することを特徴とする画像処理システムである。
【手続補正１８】
【補正対象書類名】明細書
【補正対象項目名】００２８
【補正方法】変更
【補正の内容】
【００２８】
請求項１、２、１６、１７に係る発明によると、記録用紙の記載内容を表す画像データを閲覧者の要望に応じて出力することが可能となる。
【手続補正１９】
【補正対象書類名】明細書
【補正対象項目名】００２９
【補正方法】変更
【補正の内容】
【００２９】
請求項３に係る発明によると、記載内容の記入日時を基準にして画像データの出力が可能となる。
【手続補正２０】
【補正対象書類名】明細書
【補正対象項目名】００３０
【補正方法】変更
【補正の内容】
【００３０】
請求項４に係る発明によると、閲覧者の要望に応じて、記録用紙を再現した状態の出力用画像データ、又は、時系列に沿って配列された状態の出力用画像データが、表示される。
【手続補正２１】
【補正対象書類名】明細書
【補正対象項目名】００３１
【補正方法】変更
【補正の内容】
【００３１】
請求項５に係る発明によると、記録用紙を再現した状態で出力用画像データを表示することが可能となる。
【手続補正２２】
【補正対象書類名】明細書
【補正対象項目名】００３２
【補正方法】変更
【補正の内容】
【００３２】
請求項６に係る発明によると、追記部分を表す追記差分画像データと削除部分を表す削除差分画像データとを区別して出力することが可能となる。
【手続補正２３】
【補正対象書類名】明細書
【補正対象項目名】００３３
【補正方法】変更
【補正の内容】
【００３３】
請求項７に係る発明によると、差分抽出の対象に適した文書種別について差分画像データが生成され得る。
【手続補正２４】
【補正対象書類名】明細書
【補正対象項目名】００３４
【補正方法】変更
【補正の内容】
【００３４】
請求項８に係る発明によると、差分抽出の対象に適する診療記録部分についての差分画像データが生成される。
【手続補正２５】
【補正対象書類名】明細書
【補正対象項目名】００３５
【補正方法】変更
【補正の内容】
【００３５】
請求項９に係る発明によると、閲覧者の要望に応じて、文書種別ごとの画像データが出力され得る。
【手続補正２６】
【補正対象書類名】明細書
【補正対象項目名】００３６
【補正方法】変更
【補正の内容】
【００３６】
請求項１０に係る発明によると、複数の出力用画像データ間において対応関係の把握が容易となる。
【手続補正２７】
【補正対象書類名】明細書
【補正対象項目名】００３７
【補正方法】変更
【補正の内容】
【００３７】
請求項１１に係る発明によると、表示エリアが制限されている場合であっても、文書種別が同じ複数の出力用画像データが表示される。
【手続補正２８】
【補正対象書類名】明細書
【補正対象項目名】００３８
【補正方法】変更
【補正の内容】
【００３８】
請求項１２に係る発明によると、文書種別がそれぞれ異なる複数の出力用画像データ間対応関係の把握が容易となる。
【手続補正２９】
【補正対象書類名】明細書
【補正対象項目名】００３９
【補正方法】変更
【補正の内容】
【００３９】
請求項１３に係る発明によると、表示エリアが制限されている場合であっても、優先度が相対的に高い画像データが優先的に表示される。
【手続補正３０】
【補正対象書類名】明細書
【補正対象項目名】００４０
【補正方法】変更
【補正の内容】
【００４０】
請求項１４に係る発明によると、画像データのセキュリティの低下が抑制される。
【手続補正３１】
【補正対象書類名】明細書
【補正対象項目名】００４１
【補正方法】変更
【補正の内容】
【００４１】
請求項１５に係る発明によると、職種に適した表示形態で画像データが表示される。
【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
記録用紙の画像を読取り生成された画像データの差分を抽出し、更新が行われた部分を表す差分画像データ群を得る差分画像生成手段と、
記入に関する属性情報に対応付けて前記各差分画像データを記憶手段に記憶させる記憶処理手段と、
指定された画像選択条件及び前記属性情報に基づき、前記差分画像データ群から出力用画像データを選択して出力する出力処理手段と、
前記記録用紙における各領域の文書種別を特定し、前記各記録用紙画像データから、個々の前記領域を表す領域画像データを抽出する領域抽出手段と、を有し、
前記差分画像生成手段は、前記領域ごとの前記文書種別に応じた差分の抽出を実行する、
画像処理装置。
【請求項２】
前記記入は、前記記録用紙に対する新たな記入、追加の記入、記載内容の修正、及び、一部又は全部の削除、からなる群から選択される１つを含む、
ことを特徴とする請求項１に記載の画像処理装置。
【請求項３】
前記属性情報は、前記更新が行われた日時に関する時間情報を含み、
前記画像選択条件は、日時に関する条件を含む、
ことを特徴とする請求項１又は請求項２に記載の画像処理装置。
【請求項４】
前記出力処理手段は、前記記録用紙の記載内容を再現した状態で前記出力用画像データを表示する再現表示モード、又は、時系列に沿って前記出力用画像データを配列した状態で表示する配列表示モード、を実行する、
ことを特徴とする請求項１から請求項３のいずれか一項に記載の画像処理装置。
【請求項５】
前記属性情報は、前記記録用紙における差分部分の位置を示す差分部分位置情報を含み、
前記出力処理手段は、前記再現表示モードでは、前記差分部分位置情報に基づいて、前記記録用紙の記載内容を再現した状態で前記出力用画像データを表示する、
ことを特徴とする請求項４に記載の画像処理装置。
【請求項６】
前記記録用紙は時系列に沿って記載内容が追記又は削除される用紙であり、
前記差分画像生成手段は、前記記録用紙に対する新たな追記部分を表す追記差分画像データ、及び、前記記録用紙に対する新たな削除部分を表す削除差分画像データのうち少なくとも一方を、前記差分画像データとして生成する、
ことを特徴とする請求項１から請求項５のいずれか一項に記載の画像処理装置。
【請求項７】
前記記録用紙は、前記文書種別として、診療記録が記入される診療記録部分、検査データが記入又は貼付される検査データ部分、及び、医用画像が貼付される医用画像部分を含み、
前記差分画像生成手段は、前記診療記録部分、前記検査データ部分及び前記医用画像部分のうちの前記診療記録部分についての前記差分画像データ群を生成する、
ことを特徴とする請求項１から請求項６のいずれか一項に記載の画像処理装置。
【請求項８】
前記記憶処理手段は、前記領域画像データに前記文書種別を示す文書種別情報を属性情報として対応付けて前記領域画像データを前記記憶手段に記憶させ、
前記画像選択条件は、前記文書種別に関する条件を含み、
前記出力処理手段は、前記画像選択条件及び前記属性情報に基づいて、前記差分画像データ群から前記出力用画像データを選択して出力するとともに、前記領域画像データを前記出力用画像データとして出力する、
ことを特徴とする請求項７に記載の画像処理装置。
【請求項９】
前記出力処理手段は、前記文書種別が異なる複数の前記出力用画像データにおいて、相互に対応する指定部分を他の部分と識別して表示する、
ことを特徴とする請求項８に記載の画像処理装置。
【請求項１０】
前記出力処理手段は、前記文書種別が同じ複数の前記出力用画像データを重ねて表示する、
ことを特徴とする請求項８に記載の画像処理装置。
【請求項１１】
前記出力処理手段は、前記文書種別がそれぞれ異なる複数の前記出力用画像データにおいて、一の前記出力用画像データが閲覧者の操作によってスクロールされたときに、他の前記出力用画像データを連動してスクロールして表示する、
ことを特徴とする請求項８に記載の画像処理装置。
【請求項１２】
前記出力処理手段は、前記出力用画像データにおいて優先度が相対的に低い箇所に、優先度が相対的に高い他の前記出力用画像データを重ねて表示する、
ことを特徴とする請求項８に記載の画像処理装置。
【請求項１３】
前記出力処理手段は、閲覧者の閲覧権限に応じて前記出力用画像データの出力を制限する、
ことを特徴とする請求項８に記載の画像処理装置。
【請求項１４】
前記出力処理手段は、閲覧者の職種に応じて前記出力用画像データの表示形態を変える、
ことを特徴とする請求項８に記載の画像処理装置。
【請求項１５】
コンピュータを、
記録用紙の画像を読取り生成された画像データの差分を抽出し、更新が行われた部分を表す差分画像データ群を得る差分画像生成手段と、
記入に関する属性情報に対応付けて前記各差分画像データを記憶手段に記憶させる記憶処理手段と、
指定された画像選択条件及び前記属性情報に基づき、前記差分画像データ群から出力用画像データを選択して出力する出力処理手段と、
前記記録用紙における各領域の文書種別を特定し、前記各記録用紙画像データから、個々の前記領域を表す領域画像データを抽出する領域抽出手段と、
として機能させ、
前記差分画像生成手段は、前記領域ごとの前記文書種別に応じた差分の抽出を実行する、
プログラム。
【請求項１６】
記録用紙の画像を読取り生成された画像データの差分を抽出し、更新が行われた部分を表す差分画像データ群を得る差分画像生成手段と、
記入に関する属性情報に対応付けて前記各差分画像データを記憶手段に記憶させる記憶処理手段と、
指定された画像選択条件及び前記属性情報に基づき、前記差分画像データ群から出力用画像データを選択して出力する出力処理手段と、
前記記録用紙における各領域の文書種別を特定し、前記各記録用紙画像データから、個々の前記領域を表す領域画像データを抽出する領域抽出手段と、を有し、
前記差分画像生成手段は、前記領域ごとの前記文書種別に応じた差分の抽出を実行する、
ことを特徴とする画像処理システム。
【手続補正２】
【補正対象書類名】明細書
【補正対象項目名】００１３
【補正方法】変更
【補正の内容】
【００１３】
請求項１に係る発明は、記録用紙の画像を読取り生成された画像データの差分を抽出し、更新が行われた部分を表す差分画像データ群を得る差分画像生成手段と、記入に関する属性情報を含む前記各差分画像データを記憶手段に記憶させる記憶処理手段と、指定された画像選択条件及び前記属性情報に基づき、前記差分画像データ群から出力用画像データを選択して出力する出力処理手段と、前記記録用紙における各領域の文書種別を特定し、前記各記録用紙画像データから、個々の前記領域を表す領域画像データを抽出する領域抽出手段と、を有し、前記差分画像生成手段は、前記領域ごとの前記文書種別に応じた差分の抽出を実行する、画像処理装置である。
請求項２に係る発明は、前記記入は、前記記録用紙に対する新たな記入、追加の記入、記載内容の修正、及び、一部又は全部の削除、からなる群から選択される１つを含む、ことを特徴とする請求項１に記載の画像処理装置である。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
請求項７に係る発明は、前記記録用紙は、前記文書種別として、診療記録が記入される診療記録部分、検査データが記入又は貼付される検査データ部分、及び、医用画像が貼付される医用画像部分を含み、前記差分画像生成手段は、前記診療記録部分、前記検査データ部分及び前記医用画像部分のうちの前記診療記録部分についての前記差分画像データ群を生成する、ことを特徴とする請求項１から請求項６のいずれか一項に記載の画像処理装置である。
【手続補正５】
【補正対象書類名】明細書
【補正対象項目名】００２０
【補正方法】変更
【補正の内容】
【００２０】
請求項８に係る発明は、前記記憶処理手段は、前記領域画像データに前記文書種別を示す文書種別情報を属性情報として対応付けて前記領域画像データを前記記憶手段に記憶させ、前記画像選択条件は、前記文書種別に関する条件を含み、前記出力処理手段は、前記画像選択条件及び前記属性情報に基づいて、前記差分画像データ群から前記出力用画像データを選択して出力するとともに、前記領域画像データを前記出力用画像データとして出力する、ことを特徴とする請求項７に記載の画像処理装置である。
【手続補正６】
【補正対象書類名】明細書
【補正対象項目名】００２１
【補正方法】変更
【補正の内容】
【００２１】
請求項９に係る発明は、前記出力処理手段は、前記文書種別が異なる複数の前記出力用画像データにおいて、相互に対応する指定部分を他の部分と識別して表示する、ことを特徴とする請求項８に記載の画像処理装置である。
【手続補正７】
【補正対象書類名】明細書
【補正対象項目名】００２２
【補正方法】変更
【補正の内容】
【００２２】
請求項１０に係る発明は、前記出力処理手段は、前記文書種別が同じ複数の前記出力用画像データを重ねて表示する、ことを特徴とする請求項８に記載の画像処理装置である。
【手続補正８】
【補正対象書類名】明細書
【補正対象項目名】００２３
【補正方法】変更
【補正の内容】
【００２３】
請求項１１に係る発明は、前記出力処理手段は、前記文書種別がそれぞれ異なる複数の前記出力用画像データにおいて、一の前記出力用画像データが閲覧者の操作によってスクロールされたときに、他の前記出力用画像データを連動してスクロールして表示する、ことを特徴とする請求項８に記載の画像処理装置である。
【手続補正９】
【補正対象書類名】明細書
【補正対象項目名】００２４
【補正方法】変更
【補正の内容】
【００２４】
請求項１２に係る発明は、前記出力処理手段は、前記出力用画像データにおいて優先度が相対的に低い箇所に、優先度が相対的に高い他の前記出力用画像データを重ねて表示する、ことを特徴とする請求項８に記載の画像処理装置である。
【手続補正１０】
【補正対象書類名】明細書
【補正対象項目名】００２５
【補正方法】変更
【補正の内容】
【００２５】
請求項１３に係る発明は、前記出力処理手段は、閲覧者の閲覧権限に応じて前記出力用画像データの出力を制限する、ことを特徴とする請求項８に記載の画像処理装置である。
【手続補正１１】
【補正対象書類名】明細書
【補正対象項目名】００２６
【補正方法】変更
【補正の内容】
【００２６】
請求項１４に係る発明は、前記出力処理手段は、閲覧者の職種に応じて前記出力用画像データの表示形態を変える、ことを特徴とする請求項８に記載の画像処理装置である。
【手続補正１２】
【補正対象書類名】明細書
【補正対象項目名】００２７
【補正方法】変更
【補正の内容】
【００２７】
請求項１５に係る発明は、コンピュータを、記録用紙の画像を読取り生成された画像データの差分を抽出し、更新が行われた部分を表す差分画像データ群を得る差分画像生成手段と、記入に関する属性情報に対応付けて前記各差分画像データを記憶手段に記憶させる記憶処理手段と、指定された画像選択条件及び前記属性情報に基づき、前記差分画像データ群から出力用画像データを選択して出力する出力処理手段と、前記記録用紙における各領域の文書種別を特定し、前記各記録用紙画像データから、個々の前記領域を表す領域画像データを抽出する領域抽出手段と、として機能させ、前記差分画像生成手段は、前記領域ごとの前記文書種別に応じた差分の抽出を実行する、プログラムである。
請求項１６に係る発明は、記録用紙の画像を読取り生成された画像データの差分を抽出し、更新が行われた部分を表す差分画像データ群を得る差分画像生成手段と、記入に関する属性情報に対応付けて前記各差分画像データを記憶手段に記憶させる記憶処理手段と、指定された画像選択条件及び前記属性情報に基づき、前記差分画像データ群から出力用画像データを選択して出力する出力処理手段と、前記記録用紙における各領域の文書種別を特定し、前記各記録用紙画像データから、個々の前記領域を表す領域画像データを抽出する領域抽出手段と、を有し、前記差分画像生成手段は、前記領域ごとの前記文書種別に応じた差分の抽出を実行する、ことを特徴とする画像処理システムである。
【手続補正１３】
【補正対象書類名】明細書
【補正対象項目名】００２８
【補正方法】変更
【補正の内容】
【００２８】
請求項１，２，１５，１６に係る発明によると、記録用紙の記載内容を表す画像データを閲覧者の要望に応じて出力することが可能となる。また、差分抽出の対象に適した文書種別についての差分画像データが生成され得る。
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】変更
【補正の内容】
【００３４】
請求項７に係る発明によると、差分抽出の対象に適する診療記録部分についての差分画像データが生成される。
【手続補正１６】
【補正対象書類名】明細書
【補正対象項目名】００３５
【補正方法】変更
【補正の内容】
【００３５】
請求項８に係る発明によると、閲覧者の要望に応じて、文書種別ごとの画像データが出力され得る。
【手続補正１７】
【補正対象書類名】明細書
【補正対象項目名】００３６
【補正方法】変更
【補正の内容】
【００３６】
請求項９に係る発明によると、複数の出力用画像データ間において対応関係の把握が容易となる。
【手続補正１８】
【補正対象書類名】明細書
【補正対象項目名】００３７
【補正方法】変更
【補正の内容】
【００３７】
請求項１０に係る発明によると、表示エリアが制限されている場合であっても、文書種別が同じ複数の出力用画像データが表示される。
【手続補正１９】
【補正対象書類名】明細書
【補正対象項目名】００３８
【補正方法】変更
【補正の内容】
【００３８】
請求項１１に係る発明によると、文書種別がそれぞれ異なる複数の出力用画像データ間の対応関係の把握が容易となる。
【手続補正２０】
【補正対象書類名】明細書
【補正対象項目名】００３９
【補正方法】変更
【補正の内容】
【００３９】
請求項１２に係る発明によると、表示エリアが制限されている場合であっても、優先度が相対的に高い画像データが優先的に表示される。
【手続補正２１】
【補正対象書類名】明細書
【補正対象項目名】００４０
【補正方法】変更
【補正の内容】
【００４０】
請求項１３に係る発明によると、画像データのセキュリティの低下が抑制される。
【手続補正２２】
【補正対象書類名】明細書
【補正対象項目名】００４１
【補正方法】変更
【補正の内容】
【００４１】
請求項１４に係る発明によると、職種に適した表示形態で画像データが表示される。